(57)【要約】  端末装置（ＵＥ）上で上りリンク制御情報（ＵＣＩ）レポートを報告するための方法が記載される。１つのサービングセル上で受信した複数のチャネル状態情報参照信号（ＣＳＩ−ＲＳ）に関して、複数のチャネル状態情報（ＣＳＩ）レポートが生成される。複数のＣＳＩ−ＲＳレポートは、１つのサブフレームで送信するようにスケジュールされる。優先度付けの方法を用いて、総合的な最優先ＣＳＩレポートが決定される。総合的な最優先ＣＳＩレポートが選択される。総合的な最優先ＣＳＩレポートが送信される。
2015511777.tif 000002
【特許請求の範囲】
【請求項１】
端末装置（ＵＥ）上でチャネル状態情報（ＣＳＩ）レポートを選択するための方法であって、前記方法は、
１つのサービングセルに関して１つ以上のＣＳＩレポートを生成するステップであって、各ＣＳＩレポートが構成インデックスと関連付けられた、前記生成するステップ；
１つのサブフレームにおいてスケジュールされた前記複数のレポート同士の衝突の場合に、
ＣＳＩレポートの優先度に基づいて、前記複数のレポートのうちから送信されるべきＣＳＩレポートを選択するステップ、
を備え、
優先度が低い方のＰＵＣＣＨレポーティング・タイプのＣＳＩレポートは落とされ、同じ優先度のＰＵＣＣＨレポーティング・タイプをもつＣＳＩレポート同士の衝突の場合には、最も低い構成インデックスをもつ前記ＣＳＩレポート以外のＣＳＩレポートは落とされる、
方法。
【請求項２】
端末装置（ＵＥ）であって、前記ＵＥは、
プロセッサ；
前記プロセッサと電子通信状態にあるメモリ；
前記メモリに記憶された命令
を備え、前記命令は、
１つのサービングセルに関して複数のチャネル状態情報（ＣＳＩ）レポートを生成するために実行可能であり、各ＣＳＩレポートが構成インデックスと関連付けられ；
１つのサブフレームにおいてスケジュールされた前記複数のレポート同士の衝突の場合に；
レポートの優先度に基づいて、前記複数のレポートのうちから送信されるべきＣＳＩレポートを選択し、
優先度が低い方のＰＵＣＣＨレポーティング・タイプのＣＳＩレポートは落とされ、同じ優先度のＰＵＣＣＨレポーティング・タイプをもつＣＳＩレポート同士の衝突の場合には、最も低い構成インデックスをもつ前記ＣＳＩレポート以外のＣＳＩレポートは落とされる、
ＵＥ。
【請求項３】
ｅｖｏｌｖｅｄ  Ｎｏｄｅ  Ｂ（ｅＮｏｄｅ  Ｂ）上で上りリンク制御情報（ＵＣＩ）を復号するための方法であって、前記方法は、
ＣＳＩレポートを含む前記符号化されたＵＣＩを受信するステップ；
１つのサブフレームにおいてスケジュールされた前記複数のチャネル状態情報（ＣＳＩ）レポート同士の衝突の場合に、
ＣＳＩレポートの優先度に基づいて、前記受信したＵＣＩを復号するステップ、
を備え、
優先度が低い方のＰＵＣＣＨレポーティング・タイプのＣＳＩレポートは落とされ、同じの優先度のＰＵＣＣＨレポーティング・タイプをもつＣＳＩレポート同士の衝突の場合には、最も低い構成インデックスをもつ前記ＣＳＩレポート以外のＣＳＩレポートは落とされる、
方法。
【請求項４】
ｅｖｏｌｖｅｄ  Ｎｏｄｅ  Ｂ（ｅＮｏｄｅ  Ｂ）であって、前記ｅＮｏｄｅ  Ｂは、
プロセッサ；
前記プロセッサと電子通信状態にあるメモリ；
前記メモリに記憶された命令
を備え、前記命令は、
前記ＣＳＩレポートを含む前記符号化された上りリンク制御情報（ＵＣＩ）を受信し；
１つのサブフレームにおいてスケジュールされた前記複数のチャネル状態情報（ＣＳＩ）レポート同士の衝突の場合に、
ＣＳＩレポートの優先度に基づいて、前記受信したＵＣＩを復号する
ために実行可能であり、
優先度が低い方のＰＵＣＣＨレポーティング・タイプのＣＳＩレポートは落とされ、同じの優先度のＰＵＣＣＨレポーティング・タイプをもつＣＳＩレポート同士の衝突の場合には、最も低い構成インデックスをもつ前記ＣＳＩレポート以外のＣＳＩレポートは落とされる、
ｅＮｏｄｅ  Ｂ。
【発明の詳細な説明】
【技術分野】
【０００１】
本発明は、一般に、ワイヤレス通信およびワイヤレス通信関連技術に関する。より具体的には、本発明は、上りリンク制御情報（ＵＣＩ）の送信スケジュール同士の衝突解決システムおよび方法に関する。
【背景技術】
【０００２】
ワイヤレス通信デバイスは、消費者ニーズを満たし、可搬性と便利さとを改善するために、より小さく、より強力になった。消費者は、ワイヤレス通信デバイスに依存するようになり、高信頼性のサービス、カバレッジエリアの拡大および機能性の向上を期待するようになった。ワイヤレス通信システムは、多くのセルに通信を提供し、それぞれのセルが基地局によるサービスを享受する。基地局は、移動局と通信する固定局とすることができる。
【０００３】
ワイヤレス通信の効率および品質を改善するために、ワイヤレス通信システムに様々な信号処理技術が用いられる。ワイヤレス通信デバイスにより上りリンク制御情報（ＵＣＩ：ｕｐｌｉｎｋ  ｃｏｎｔｒｏｌ  ｉｎｆｏｒｍａｔｉｏｎ）をレポートするための改善された方法によって利益が得られるであろう。
【発明の概要】
【課題を解決するための手段】
【０００４】
本発明の一実施形態は、端末装置（ＵＥ）上でチャネル状態情報（ＣＳＩ：ｃｈａｎｎｅｌ  ｓｔａｔｅ  ｉｎｆｏｒｍａｔｉｏｎ）レポートを選択するための方法を開示し、この方法は、１つのサービングセルに関して１つ以上のＣＳＩレポートを生成するステップであって、各ＣＳＩレポートが構成インデックスと関連付けられた、生成するステップと、１つのサブフレームにおいてスケジュールされた複数のレポート同士の衝突の場合に、ＣＳＩレポートの優先度に基づいて、複数のレポートのうちから送信されるべきＣＳＩレポートを選択するステップとを備え、優先度が低い方のＰＵＣＣＨレポーティング・タイプのＣＳＩレポートは落とされ、同じ優先度のＰＵＣＣＨレポーティング・タイプをもつＣＳＩレポート同士の衝突の場合には、最も低い構成インデックスをもつＣＳＩレポート以外のＣＳＩレポートは落とされる。
【０００５】
本発明の別の実施形態は、端末装置（ＵＥ）を開示し、ＵＥは、プロセッサ；プロセッサと電子通信状態にあるメモリ；メモリに記憶された命令を備え、命令は、１つのサービングセルに関して複数のチャネル状態情報（ＣＳＩ）レポートを生成するために実行可能であり、各ＣＳＩレポートが構成インデックスと関連付けられ；１つのサブフレームにおいてスケジュールされた複数のレポート同士の衝突の場合に、レポートの優先度に基づいて、複数のレポートのうちから送信されるべきＣＳＩレポートを選択し、優先度が低い方のＰＵＣＣＨレポーティング・タイプのＣＳＩレポートは落とされ、同じ優先度のＰＵＣＣＨレポーティング・タイプをもつＣＳＩレポート同士の衝突の場合には、最も低い構成インデックスをもつＣＳＩレポート以外のＣＳＩレポートは落とされる。
【０００６】
本発明の別の実施形態は、ｅｖｏｌｖｅｄ  Ｎｏｄｅ  Ｂ（ｅＮｏｄｅ  Ｂ）上で上りリンク制御情報（ＵＣＩ）を復号するための方法を開示し、この方法は、ＣＳＩレポートを含む符号化されたＵＣＩを受信するステップ、１つのサブフレームにおいてスケジュールされた複数のチャネル状態情報（ＣＳＩ）レポート同士の衝突の場合に、ＣＳＩレポートの優先度に基づいて、受信したＵＣＩを復号するステップを備え、優先度が低い方のＰＵＣＣＨレポーティング・タイプのＣＳＩレポートは落とされ、同じ優先度のＰＵＣＣＨレポーティング・タイプをもつＣＳＩレポート同士の衝突の場合には、最も低い構成インデックスをもつＣＳＩレポート以外のＣＳＩレポートは落とされる。
【０００７】
本発明の別の実施形態は、ｅｖｏｌｖｅｄ  Ｎｏｄｅ  Ｂ（ｅＮｏｄｅ  Ｂ）を開示し、ｅＮｏｄｅ  Ｂは、プロセッサ；プロセッサと電子通信状態にあるメモリ；メモリに記憶された命令を備え、命令は、ＣＳＩレポートを含む符号化された上りリンク制御情報（ＵＣＩ）を受信し；１つのサブフレームにおいてスケジュールされた複数のチャネル状態情報（ＣＳＩ）レポート同士の衝突の場合に、ＣＳＩレポートの優先度に基づいて、受信したＵＣＩを復号するために実行可能であり、優先度が低い方のＰＵＣＣＨレポーティング・タイプのＣＳＩレポートは落とされ、同じ優先度のＰＵＣＣＨレポーティング・タイプをもつＣＳＩレポート同士の衝突の場合には、最も低い構成インデックスをもつＣＳＩレポート以外のＣＳＩレポートは落とされる。
【図面の簡単な説明】
【０００８】
【図１】協調マルチポイント（ＣｏＭＰ：ｃｏｏｒｄｉｎａｔｅｄ  ｍｕｌｔｉｐｏｉｎｔ）を利用したワイヤレス通信システムを示すブロックダイアグラムである。
【図２】端末装置（ＵＥ）サービングセルにおけるＣＳＩ−ＲＳリソース、測定結果およびレポーティングの一構成を示すブロックダイアグラムである。
【図３】上りリンク制御情報（ＵＣＩ）多重を用いたワイヤレス通信システムを示すブロックダイアグラムである。
【図４】端末装置（ＵＥ）サービングセルにおけるＣＳＩ−ＲＳリソース、測定結果およびレポーティングの別の構成を示すブロックダイアグラムである。
【図５】端末装置（ＵＥ）サービングセルにおけるＣＳＩ−ＲＳリソース、測定結果およびレポーティングのさらに別の構成を示すブロックダイアグラムである。
【図６】端末装置（ＵＥ）からｅＮｏｄｅ  Ｂへのサブフレームの間の送信を示すブロックダイアグラムである。
【図７】端末装置（ＵＥ）によって用いられるレイヤを示すブロックダイアグラムである。
【図８】最優先チャネル状態情報（ＣＳＩ）レポートを決定するための方法のフローダイヤグラムである。
【図９】上りリンク制御情報（ＵＣＩ）の送信スケジュール同士の衝突解決のための方法のフローダイヤグラムである。
【図１０】上りリンク制御情報（ＵＣＩ）の送信スケジュール同士の衝突解決のための別の方法のフローダイヤグラムである。
【図１１】上りリンク制御情報（ＵＣＩ）の送信スケジュール同士の衝突解決のためのさらに別の方法のフローダイヤグラムである。
【図１２】端末装置（ＵＥ）において利用される様々なコンポーネントを示す。
【図１３】ｅＮｏｄｅ  Ｂにおいて利用される様々なコンポーネントを示す。
【発明を実施するための形態】
【０００９】
「３ＧＰＰ」とも呼ばれる第３世代パートナーシップ・プロジェクト（３ｒｄ  Ｇｅｎｅｒａｔｉｏｎ  Ｐａｒｔｎｅｒｓｈｉｐ  Ｐｒｏｊｅｃｔ）は、第３および第４世代ワイヤレス通信システムに関する世界的に適用可能な技術仕様および技術レポートを規定することを目指した連携合意である。３ＧＰＰは、次世代モバイル・ネットワーク、システムおよびデバイスに関する仕様を規定する。
【００１０】
３ＧＰＰロング・ターム・エボリューション（ＬＴＥ：Ｌｏｎｇ  Ｔｅｒｍ  Ｅｖｏｌｕｔｉｏｎ）は、将来の要求に対処すべくユニバーサル・モバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）モバイルフォンまたはデバイス規格を改善するためのプロジェクトに与えられた名称である。一態様において、ＵＭＴＳは、進化型ユニバーサル地上無線アクセス（Ｅ−ＵＴＲＡ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）および進化型ユニバーサル地上無線アクセス・ネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）にサポートおよび仕様を提供するために修正された。
【００１１】
本明細書に開示されるシステムおよび方法の少なくともいくつかの態様は、３ＧＰＰ  ＬＴＥおよびＬＴＥアドバンスト規格（例えば、リリース８、リリース９、リリース１０およびリリース１１）に関して記載される。しかしながら、本開示の範囲は、この点で限定されるべきではない。本明細書に開示されるシステムおよび方法の少なくともいくつかの態様は、他のタイプのワイヤレス通信システムにおいて利用されてもよい。
【００１２】
ＬＴＥリリース１１では、協調マルチポイント（ＣｏＭＰ）送受信の使用が主な拡張である。協調マルチポイント（ＣｏＭＰ）送信では、端末装置（ＵＥ）が、（本明細書でポイントと呼ばれる）複数の地理的に離れたアンテナから下りリンク信号を受信することが可能である。ポイントとは、地理的にコロケートされたアンテナのセットである。ポイントは、サイトとも呼ばれる。ポイントは、同じ基地局または異なる基地局上に位置するか、またはそれらに接続されてもよい。そのうえ、端末装置（ＵＥ）による上りリンク送信を複数のポイントで受信することができる。端末装置（ＵＥ）へ下りリンク上で送信するポイントは、送信ポイントと呼ばれる。端末装置（ＵＥ）からの送信を上りリンク上で受信するポイントは、受信ポイントと呼ばれる。
【００１３】
ポイントは、送信も受信も可能である。一般に、「ポイント」は、送信ポイントおよび受信ポイントの両方を指す。所与の端末装置（ＵＥ）への送信およびそれからの受信のために、ポイントの同じセットを用いる必要はない。（端末装置（ＵＥ）への）下りリンク送信に関与するポイントのサブセットは、（端末装置（ＵＥ）からの）上りリンク受信に関与するポイントのサブセットと同じであっても異なってもよい。同じサイトにおける複数の区分が異なるポイントに対応してもよい。下りリンク送信または上りリンク受信に参加するポイントのセットが１つのサブフレームから別のサブフレームへ変化してもよい。
【００１４】
アンテナポートは、アンテナポート上のシンボルを伝えるチャネルが、同じアンテナポート上の別のシンボルを伝えるチャネルから推測できるように定義される。アンテナポートごとに１つのリソースグリッド（時間−周波数）があってもよい。複数のアンテナポートは、複数入力および複数出力（ＭＩＭＯ：ｍｕｌｔｉｐｌｅ−ｉｎｐｕｔ  ａｎｄ  ｍｕｌｔｉｐｌｅ−ｏｕｔｐｕｔ）システムのための複数レイヤを実現できる。ポイントは、端末装置（ＵＥ）に透過的であってもよい。端末装置（ＵＥ）にとって、アンテナポートは識別可能である。アンテナポートは、１つのポイントにおける１つのアンテナまたはアンテナのセット、あるいは複数の異なるポイントにおけるアンテナのセットによって実現される。しかしながら、ポイントは、ｅＮｏｄｅ  Ｂから見れば識別可能である。それゆえに、ポイントから端末装置（ＵＥ）への送信のときに、ｅＮｏｄｅ  Ｂから見れば、送信に参加するアンテナポートにどのポイント（単数または複数）が用いられるかをｅＮｏｄｅ  Ｂは認識している。
【００１５】
各ポイントから端末装置（ＵＥ）への下りリンク送信を協調させることによって、下りリンク性能を著しく高めることができる。同様に、複数の受信ポイントでの上りリンク受信を協調させることによって、上りリンク性能の著しい向上を達成できる。協調マルチポイント（ＣｏＭＰ）送信では、各協調セルのチャネル状態情報（ＣＳＩ）がリリース１０と同じフォーマットまたは新しいフォーマットで別々または一緒にレポートされる。
【００１６】
協調マルチポイント（ＣｏＭＰ）送信および／または受信の使用によって、ＬＴＥワイヤレス広帯域ネットワークおよび３Ｇネットワーク上で着実なサービス品質およびスループットが保証され、一方では上りリンクおよび下りリンク・データ伝送速度が向上する。協調マルチポイント（ＣｏＭＰ）送信および／または受信は、上りリンク上でも下りリンク上でも用いることができる。
【００１７】
用語「同時の」は、本明細書では、２つ以上の事象が重複したタイムフレームで生じる状況を示すために用いられる。言い換えれば、２つの「同時の」事象は、時刻がある程度重複するが必ずしも同じ持続時間でなくてもよい。そのうえ、同時の事象は、同時刻に始まるか、または終わってもよく、あるいはそうでなくてもよい。
【００１８】
図１は、協調マルチポイント（ＣｏＭＰ）を利用したワイヤレス通信システム１００を示すブロックダイアグラムである。ワイヤレス通信システム１００は、システム・アーキテクチャ・エボリューション（ｓｙｓｔｅｍ  ａｒｃｈｉｔｅｃｔｕｒｅ  ｅｖｏｌｕｔｉｏｎ）１０１の一部としてサービングｅＮｏｄｅ  Ｂ１０２ａおよび協力ｅＮｏｄｅ  Ｂ１０２ｂを含む。システム・アーキテクチャ・エボリューション１０１は、ＧＰＲＳコア・ネットワークを置き換えるべく設計されたフラットなＩＰベースのネットワーク・アーキテクチャである。一構成において、システム・アーキテクチャ・エボリューション１０１は、コア・ネットワークと呼ばれる。
【００１９】
ｅＮｏｄｅ  Ｂ１０２は、チャネル状態情報参照信号（ＣＳＩ−ＲＳ：ｃｈａｎｎｅｌ  ｓｔａｔｅ  ｉｎｆｏｒｍａｔｉｏｎ  ｒｅｆｅｒｅｎｃｅ  ｓｉｇｎａｌ）送信モジュール１１４を有する。ＣＳＩ−ＲＳ送信モジュール１１４は、チャネル状態情報参照信号（ＣＳＩ−ＲＳ）１１６、チャネル状態情報参照信号（ＣＳＩ−ＲＳ）構成１１８およびチャネル状態情報（ＣＳＩ）レポート構成１２０を含む。ｅＮｏｄｅ  Ｂ１０２は、例えば、ＣＳＩ−ＲＳ１１６が測定されるように、それを端末装置（ＵＥ）１０４へ送る。留意すべきは、本明細書では、ＣＳＩ−ＲＳが単一のＣＳＩ−ＲＳおよび／または複数のＣＳＩ−ＲＳを指すことである。
【００２０】
ＣＳＩ−ＲＳ送信モジュール１１４は、ＣＳＩ−ＲＳ構成１１８を生成する。ｅＮｏｄｅ  Ｂ１０２は、次にＣＳＩ−ＲＳ構成１１８を端末装置（ＵＥ）１０４へ送る。かくして、端末装置（ＵＥ）１０４は、送信されてきたＣＳＩ−ＲＳ１１６を検出かつ処理するために、受信したＣＳＩ−ＲＳ構成１１８を用いることができる。例えば、端末装置（ＵＥ）１０４は、受信したＣＳＩ−ＲＳ構成１１８をＣＳＩ−ＲＳ構成モジュール１５２に記憶する。
【００２１】
ｅＮｏｄｅ  Ｂ１０２は、端末装置（ＵＥ）１０４がｅＮｏｄｅ  Ｂ１０２へ送り返すためのＣＳＩレポートを生成できるように、端末装置（ＵＥ）１０４へチャネル状態情報（ＣＳＩ）レポート構成１２０を送る。例えば、各チャネル状態情報（ＣＳＩ）レポート構成１２０は、レポートするためにどのＣＳＩ−ＲＳ（単数または複数）１１６を用いるべきかについての情報も含む。例えば、端末装置（ＵＥ）１０４は、受信したＣＳＩレポート構成１２０をＣＳＩレポート構成モジュール１５８に記憶する。
【００２２】
ｅＮｏｄｅ  Ｂ１０２は、複数のアンテナを含む物理構造である。いくつかのアンテナはｅＮｏｄｅ  Ｂ１０２とコロケートされ、他のアンテナポートはｅＮｏｄｅ  Ｂ１０２から地理的に離れている。コロケートされたアンテナも地理的に離れたアンテナもポイント１１０と呼ばれる。いくつかのポイント１１０ａ〜ｂは、サービングｅＮｏｄｅ  Ｂ１０２ａと関連付けられ、一方で他のポイント１１０ｃは、協力ｅＮｏｄｅ  Ｂ１０２ｂと関連付けられる。ｅＮｏｄｅ  Ｂ１０２は、端末装置（ＵＥ）１０４への下りリンク１０８送信およびそれからの上りリンク１０６受信を協調させるために、ポイント１１０を用いることができる。ポイント１１０ｃが協力ｅＮｏｄｅ  Ｂ１０２ｂに接続されている場合、協力ｅＮｏｄｅ  Ｂ１０２ｂをサービングｅＮｏｄｅ  Ｂ１０２ａへ接続するバックホール・インタフェース１４４がある。
【００２３】
ポイント１１０は、基地局と関連付けられたアンテナおよびまたはアンテナポートである。基地局は、アクセスポイント、送信ポイント、Ｎｏｄｅ  Ｂ、ｅＮｏｄｅ  Ｂ、送信ノード、ノードまたはいくつかの他の用語で呼ばれることもある。ポイント１１０は、基地局とコロケートされてもよく、または基地局から地理的に離れていてもよい。同様に、端末装置（ＵＥ）１０４は、移動局、加入者局、アクセス端末、遠隔局、ユーザ端末、端末、ハンドセット、加入者ユニット、ワイヤレス通信デバイスまたは他の用語で呼ばれることもある。
【００２４】
端末装置（ＵＥ）１０４とｅＮｏｄｅ  Ｂ１０２との間の通信は、上りリンク１０６および下りリンク１０８を含んだ、ワイヤレスリンクを通じた送信を用いて達成される。上りリンク１０６は、端末装置（ＵＥ）１０４からシステム・アーキテクチャ・エボリューション１０１におけるデバイス（例えば、ｅＮｏｄｅ  Ｂ１０２）へ送られる通信を指す。下りリンク１０８は、システム・アーキテクチャ・エボリューション１０１（例えば、ｅＮｏｄｅ  Ｂ１０２）から端末装置（ＵＥ）１０４へ送られる通信を指す。ｅＮｏｄｅ  Ｂ１０２は、下りリンク１０８信号を端末装置（ＵＥ）１０４へ送り、上りリンク１０６信号を端末装置（ＵＥ）１０４から受信するために、ポイント１１０の異なる組み合わせを用いてもよい。
【００２５】
一般に、通信リンクは、単一入力および単一出力（ＳＩＳＯ：ｓｉｎｇｌｅ−ｉｎｐｕｔ  ａｎｄ  ｓｉｎｇｌｅ−ｏｕｔｐｕｔ）、複数入力および単一出力（ＭＩＳＯ：ｍｕｌｔｉｐｌｅ−ｉｎｐｕｔ  ａｎｄ  ｓｉｎｇｌｅ−ｏｕｔｐｕｔ）、単一入力および複数出力（ＳＩＭＯ：ｓｉｎｇｌｅ−ｉｎｐｕｔ  ａｎｄ  ｍｕｌｔｉｐｌｅ−ｏｕｔｐｕｔ）、または複数入力および複数出力（ＭＩＭＯ：ｍｕｌｔｉｐｌｅ−ｉｎｐｕｔ  ａｎｄ  ｍｕｌｔｉｐｌｅ−ｏｕｔｐｕｔ）システムを用いて確立される。ＭＩＭＯシステムは、複数の送受信アンテナを装備した送信機および受信機の両方を含む。従って、基地局は、複数のアンテナ（またはポイント１１０）を有し、端末装置（ＵＥ）１０４は、（図示されない）複数のアンテナを有する。かくして、基地局および端末装置（ＵＥ）１０４は、それぞれがＭＩＭＯシステムにおける送信機または受信機のいずれかとして動作する。ＭＩＭＯシステムの１つの利益は、複数の送受信アンテナによって複数の送受信アンテナポートを実現し、これらのアンテナポートが作り出す追加の次元数を活用すれば、性能が向上することである。
【００２６】
第３世代パートナーシップ・プロジェクト（３ＧＰＰ）ロング・ターム・エボリューション（ＬＴＥ）アドバンストでは、ＭＩＭＯおよびキャリアアグリゲーション（ｃａｒｒｉｅｒ  ａｇｇｒｅｇａｔｉｏｎ）に適応するために、制御チャネル上で追加の制御フィードバックが送られる。キャリアアグリゲーションとは、隣接するか、または離れて位置する複数のコンポーネントキャリア（ＣＣ：ｃｏｍｐｏｎｅｎｔ  ｃａｒｒｉｅｒ）（またはセル）上でデータを送信することを指す。
【００２７】
複数のポイント１１０から単一の端末装置（ＵＥ）１０４への下りリンク１０８送信は、協調マルチポイント（ＣｏＭＰ）送信動作と呼ばれる。１つの端末装置（ＵＥ）１０４から複数の受信ポイント１１０への上りリンク１０６送信は、協調マルチポイント（ＣｏＭＰ）受信動作と呼ばれる。
【００２８】
ＣｏＭＰでは、１つの送信方法は、３ＧＰＰリリース１０仕様に明記されるようなジョイント送信（ＪＴ：ｊｏｉｎｔ  ｔｒａｎｓｍｉｓｓｉｏｎ）である。ＪＴの一構成では、参加するすべての送信ポイント（ＴＰ：ｔｒａｎｓｍｉｓｓｉｏｎ  ｐｏｉｎｔ）１１０が同じ非符号化データを送信する。別の構成では、すべてのＴＰ１１０が同じ符号化データを送信し、端末装置（ＵＥ）１０４が信号を受信して、それを端末装置（ＵＥ）１０４で結合する。例えば、受信信号は、端末装置（ＵＥ）１０４が任意の処理が行う前に、端末装置（１０４）上で結合されるか、または重ね合わされる。
【００２９】
端末装置（ＵＥ）１０４へ協調マルチポイント（ＣｏＭＰ）信号を送信するすべてのポイント１１０は、ＣｏＭＰ送信ポイント（ＴＰ）１１０または送信ポイント（ＴＰ）１１０と呼ばれる。端末装置（ＵＥ）１０４から協調マルチポイント（ＣｏＭＰ）信号を受信するすべてのポイント１１０は、ＣｏＭＰ受信ポイント１１０または受信ポイント１１０と呼ばれる。ポイント１１０は、下りリンク１０８を通じて端末装置（ＵＥ）１０４へ参照信号を送信することができる。それぞれの１１０ポイントは端末装置（ＵＥ）１０４へ、参照信号を送信するためにチャネル状態情報参照信号（ＣＳＩ−ＲＳ）送信モジュール１１４を用いる。
【００３０】
様々なタイプの参照信号がポイント１１０によって用いられる。例えば、ポイント１１０は、セル固有の参照信号（ＣＲＳ：ｃｅｌｌ−ｓｐｅｃｉｆｉｃ  ｒｅｆｅｒｅｎｃｅ  ｓｉｇｎａｌ）、マルチメディア・ブロードキャスト単一周波数ネットワーク（ＭＢＳＦＮ：ｍｕｌｔｉｍｅｄｉａ  ｂｒｏａｄｃａｓｔ  ｏｖｅｒ  ａ  ｓｉｎｇｌｅ  ｆｒｅｑｕｅｎｃｙ  ｎｅｔｗｏｒｋ）参照信号、ＵＥ固有の参照信号（例えば、復調参照信号（ＤＭ−ＲＳ：ｄｅｍｏｄｕｌａｔｉｏｎ  ｒｅｆｅｒｅｎｃｅ  ｓｉｇｎａｌ））、位置決定参照信号（ＰＲＳ：ｐｏｓｉｔｉｏｎｉｎｇ  ｒｅｆｅｒｅｎｃｅ  ｓｉｇｎａｌ）、およびチャネル状態情報参照信号（ＣＳＩ−ＲＳ）を用いる。３ＧＰＰのリリース１０では、下りリンク１０８アンテナポートごとに送信される１つの参照信号が存在する。
【００３１】
周波数帯域幅は、等しい帯域幅をもつサブキャリアに区分される。サブキャリアのセットは、ＳＣ＝｛ｓｃ１，ｓｃ２，．．．，ｓｃｋ｝によって示される。時間は、シンボル周期として知られる等しい持続時間をもつ間隔に分割される。３ＧＰＰリリース８およびそれ以降のリリースでは、（１無線フレームと呼ばれる）時間−周波数リソース・グリッドの持続時間は１０ミリ秒（ｍｓ）である。１無線フレームは、１０サブフレームを含み、それぞれのサブフレームの持続時間は、上りリンク１０６および／または下りリンク１０８における送信の持続時間である１ｍｓである。すべてのサブフレームは、持続時間がそれぞれ０．５ｍｓの２つのスロットに分割される。時間間隔のセットは、Ｔ＝｛Ｔ１，Ｔ２，．．．，ＴＬ｝によって示される。次に、周波数−時間リソース・グリッドがデカルト積ＳＣ×Ｔ＝｛（ｓｃｋ，Ｔｌ），ｋ＝１，．．．，Ｋおよびｌ＝１，．．．，Ｌ｝として定義される。
【００３２】
上りリンク１０６または下りリンク１０８で情報の送信に割り当てることができるリソースの最小量は、いずれのサブフレームでも２リソースブロック（ＲＢ：ｒｅｓｏｕｒｃｅ  ｂｌｏｃｋ）であり、各スロットに１ＲＢである。各スロットは、７つのシンボルに分割される。周波数領域は、サブキャリアと呼ばれる１５キロヘルツ（ｋＨｚ）幅の帯域に分割される。言い換えれば、１ＲＢは、時間領域における０．５ｍｓ（７シンボルまたは１スロット）の持続時間と周波数領域における１２サブキャリア（１８０ｋＨｚ）の帯域幅とを有する。１つのリソース要素は、時間領域における１シンボルの持続時間と周波数領域における１サブキャリアの帯域幅とを有する。加えて、いずれのサブフレームでも、物理上りリンク制御チャネル（ＰＵＣＣＨ：ｐｈｙｓｉｃａｌ  ｕｐｌｉｎｋ  ｃｏｎｔｒｏｌ  ｃｈａｎｎｅｌ）における上りリンク制御情報（ＵＣＩ）の送信のために、所与の端末装置（ＵＥ）１０４によって最大２ＲＢ（各スロットに１ＲＢ）を用いることができる。
【００３３】
端末装置（ＵＥ）１０４への参照信号の送信に参加するポイント１１０は、協調マルチポイント（ＣｏＭＰ）測定セットに属する。協調マルチポイント（ＣｏＭＰ）測定セットは、ポイント１１０の端末装置（ＵＥ）１０４へのリンクに関係するチャネル状態／統計情報が測定されるか、および／またはレポートされるポイント１１０のセットとして定義される。協調マルチポイント（ＣｏＭＰ）送信環境では下りリンク１０８での参照信号の送信が生じることも、生じないこともある。
【００３４】
本明細書では、協力セットとは、時間−周波数リソースでの端末装置（ＵＥ）１０４へのデータ送信、および／または時間−周波数リソースでの端末装置（ＵＥ）１０４からのデータ受信に直接的および／または間接的に参加する、地理的および／または実質的に離れたポイント１１０のセットを指す。送信および／または受信ポイント１１０のセットは、協力セットのサブセットである。協力セットは、端末装置（ＵＥ）１０４に透過的であっても、なくてもよい。
【００３５】
端末装置（ＵＥ）１０４は、１つ以上のチャネル状態情報（ＣＳＩ）モジュール１５０を含む。例えば、各コンポーネント・キャリア（ＣＣ）は、チャネル状態情報（ＣＳＩ）モジュール１５０を有する。
【００３６】
チャネル状態情報（ＣＳＩ）モジュール１５０は、１つ以上のチャネル状態情報（ＣＳＩ）構成モジュール１５２、１つ以上のチャネル状態情報（ＣＳＩ）測定モジュール１５４、１つ以上のチャネル状態情報（ＣＳＩ）レポート生成モジュール１５６、１つ以上のチャネル状態情報（ＣＳＩ）レポート構成モジュール１５８、およびチャネル状態情報（ＣＳＩ）レポート衝突解決モジュール１６０を含む。
【００３７】
チャネル状態情報（ＣＳＩ）構成モジュール１５２は、ｅＮｏｄｅ  Ｂ１０２からＣＳＩ−ＲＳ構成を受信する。ＣＳＩ−ＲＳ構成は、ＣＳＩ−ＲＳシーケンス、周期、ＣＳＩ−ＲＳが送信されるアンテナポート、およびＣＳＩ−ＲＳシンボルによって占有されたリソース要素のパターンを含む。特定の構成を用いて構成されるＣＳＩ−ＲＳは、ＣＳＩ−ＲＳリソースと呼ばれる。構成されたＣＳＩ−ＲＳリソースの参照信号シーケンスは、ＣＳＩ−ＲＳ構成によって決定される時間および周波数リソースを占有するキャリア、またはコンポーネントキャリア上で送信される。
【００３８】
ＣＳＩ−ＲＳ構成は、端末装置（ＵＥ）１０４で受信されるＣＳＩ−ＲＳの構成について端末装置（ＵＥ）１０４に通知する。例えば、協調マルチポイント（ＣｏＭＰ）測定の場合のように、同じコンポーネントキャリア（ＣＣ）またはセルを用いる複数のｅＮｏｄｅ  Ｂ１０２があった場合、各チャネル状態情報（ＣＳＩ）構成モジュール１５２は、ＣＳＩ−ＲＳ構成を受信して、そのＣＳＩ−ＲＳ構成を、受信したＣＳＩ−ＲＳ信号に適用する。言い換えれば、複数のＣＳＩ−ＲＳが構成される。ＣＳＩ−ＲＳの構成は、無線リソース制御（ＲＲＣ：ｒａｄｉｏ  ｒｅｓｏｕｒｃｅ  ｃｏｎｔｒｏｌ）シグナリングによって行われる。一般に、サービングｅＮｏｄｅ  Ｂ１０２は、所与のキャリアコンポーネントで１つ以上のＣＳＩ−ＲＳを用いて端末装置（ＵＥ）１０４を構成する。ＣＳＩ−ＲＳと他のｅＮｏｄｅ  Ｂおよび／または他の送信ポイントとの関連付けは、端末装置（ＵＥ）１０４には透過的であってもよい。ＣＳＩ−ＲＳリソースを構成するために用いられる１つのパラメータは、セルＩＤとして知られる、セルと関連付けられた識別番号である。すべての構成されたＣＳＩ−ＲＳが同じサービングセルに属しても、属さなくてもよい。言い換えれば、１つ以上のＣＳＩ−ＲＳリソースが端末装置のもの（端末装置（ＵＥの）サービングセル・セルＩＤ）とは異なるセルＩＤ（単数または複数）を用いて構成されてもよい。一構成において、ＣＳＩ−ＲＳにインデックスが付けられる。ＣＳＩ−ＲＳインデックスは、優先度付けに用いることができる。
【００３９】
別の例として、チャネル状態情報（ＣＳＩ）モジュール１５０は、それぞれがＣＳＩ−ＲＳ構成（例えば、ＣＳＩ−ＲＳ１構成およびＣＳＩ−ＲＳ２構成）を含む、２つのチャネル状態情報（ＣＳＩ）構成モジュール１５２を有する。
【００４０】
チャネル状態情報（ＣＳＩ）測定モジュール１５４は、構成されたＣＳＩ−ＲＳごとにチャネル状態情報（ＣＳＩ）を測定する。例えば、ＣＳＩ−ＲＳ１は、ＣＳＩ−ＲＳ１構成によって示されるような周期およびリソース要素パターンに従って送信される。言い換えれば、適切な時刻に、チャネル状態情報（ＣＳＩ）測定モジュール１５４は、ＣＳＩ−ＲＳ１が送信されるリソース要素上で受信したシンボルに基づいて、チャネル状態情報（ＣＳＩ）を測定する。このように、端末装置（ＵＥ）１０４は、ＣＳＩ−ＲＳごとにチャネル状態情報（ＣＳＩ）測定結果を取得する。加えて、端末装置（ＵＥ）１０４は、複数のＣＳＩ−ＲＳが構成されているときには複数のＣＳＩ測定結果を取得することが可能である。ＣＳＩレポート構成は、どのＣＳＩ−ＲＳ（単数または複数）が測定されるべきか、および／またはレポートされるべきかを特定する。リリース１０の無線リソース制御（ＲＲＣ）仕様では、ＣＳＩレポート構成は、ＣＱＩＲｅｐｏｒｔＣｏｎｆｉｇと呼ばれる。
【００４１】
チャネル状態情報（ＣＳＩ）レポート生成モジュール１５６は、チャネル状態情報（ＣＳＩ）レポートを生成する。チャネル状態情報（ＣＳＩ）レポートは、チャネル状態情報（ＣＳＩ）レポート構成モジュール１５８により設定されたチャネル状態情報（ＣＳＩ）レポート構成に従って生成される。チャネル状態情報（ＣＳＩ）レポートは、１つ以上の送信ポイント１１０を有するｅＮｏｄｅ  Ｂ１０２へ送り返される。従って、協調マルチポイント（ＣｏＭＰ）送信の場合には、複数のチャネル状態情報（ＣＳＩ）レポートを生成してサービングｅＮｏｄｅ  Ｂ１０２（または中央スケジューラ）へ送り返す必要がある。サービングセルごとまたはコンポーネントキャリアごとに、１つ以上のチャネル状態情報（ＣＳＩ）レポート生成モジュール１５６がありうる。チャネル状態情報（ＣＳＩ）レポート生成モジュール１５６は、ＣＳＩレポート構成モジュール１５８により設定されたＣＳＩレポート構成によって導出される。ＣＳＩレポート構成に依存して、１つのチャネル状態情報（ＣＳＩ）レポート生成モジュール１５６が１つ以上のＣＳＩ−ＲＳ（単数または複数）に対応することもある。ＣＳＩレポート構成モジュール１５８により設定されたＣＳＩレポート構成は、チャネル状態情報（ＣＳＩ）レポート生成モジュール１５６にどのＣＳＩ−ＲＳ（単数または複数）が対応すべきかを特定する。例えば、同じキャリア（またはコンポーネントキャリア、もしくはキャリア周波数）に対して、あるいは同じサービングセルに対して、２つのＣＳＩレポート構成がある場合には、少なくとも２つのチャネル状態情報（ＣＳＩ）レポート生成モジュール１５６があることになろう。一方のチャネル状態情報（ＣＳＩ）レポート生成モジュール１５６は、ＣＳＩレポート構成１に対応することになろう。他方のチャネル状態情報（ＣＳＩ）レポート生成モジュール１５６は、ＣＳＩレポート構成２に対応することになろう。
【００４２】
ＣＳＩレポート生成モジュール１５６は、ＣＳＩ測定モジュール１５４により行われるＣＳＩ測定からＣＳＩレポートを生成する。ＣＳＩレポートは、ＣＳＩレポート構成モジュール１５８により設定されたＣＳＩレポート構成に基づく。留意すべきは、チャネル状態情報（ＣＳＩ）レポートが様々なチャネル状態情報（ＣＳＩ）測定結果に基づきうることである。例えば、チャネル状態情報（ＣＳＩ）レポート構成は、チャネル品質インジケータ（ＣＱＩ：ｃｈａｎｎｅｌ  ｑｕａｌｉｔｙ  ｉｎｄｉｃａｔｏｒ）に基づいてもよい。言い換えれば、ＣＳＩレポートは、ＣＱＩレポートであってもよい。
【００４３】
各チャネル状態情報（ＣＳＩ）レポート構成は、何がレポートされるべきか、および、いつそれがレポートされるべきかについての情報を含む。例えば、チャネル状態情報（ＣＳＩ）レポート構成は、チャネル品質指標（ＣＱＩ：ｃｈａｎｎｅｌ  ｑｕａｌｉｔｙ  ｉｎｄｉｃａｔｉｏｎ）およびプリコーディング・マトリックス指標（ＰＭＩ：ｐｒｅｃｏｄｉｎｇ  ｍａｔｒｉｘ  ｉｎｄｉｃａｔｉｏｎ）をレポートするための周期、ならびにランク指標（ＲＩ：ｒａｎｋ  ｉｎｄｉｃａｔｉｏｎ）をレポートするための周期を設定する。例として、チャネル状態情報（ＣＳＩ）レポート構成は、チャネル品質指標（ＣＱＩ）が５ミリ秒（ｍｓ）ごとにレポートされるべきであること、およびランク指標（ＲＩ）が２０ミリ秒（ｍｓ）ごとにレポートされるべきであることを示す。各チャネル状態情報（ＣＳＩ）レポート構成は、どのＣＳＩ−ＲＳ（単数または複数）がレポートされるべきかについての情報も含む。
【００４４】
チャネル状態情報（ＣＳＩ）レポート生成モジュール１５６は、チャネル状態情報（ＣＳＩ）測定結果に基づいてレポートを生成する。各生成されたレポートは、（ＰＵＣＣＨレポーティング・タイプ、ＰＵＣＣＨ  ＣＳＩレポーティング・タイプ、ＣＳＩレポーティング・タイプとも呼ばれる）レポート・タイプによって識別される。レポート・タイプは、レポートされることになるチャネル状態情報（ＣＳＩ）情報の具体的な組み合わせを示す。例えば、ＴｙｐｅＡで示される１つのタイプが広帯域ＣＱＩおよびＰＭＩを含み、ＴｙｐｅＢで示される別のタイプがＲＩを含む。チャネル状態情報（ＣＳＩ）レポート構成は、所与の時刻に、なにがレポートされるべきかを決定する。異なる測定結果（例えば、ＣＱＩ、ＰＭＩおよびＲＩ）が異なる周期を有しうるために、同じ時間スロットで２つ以上のタイプが選ばれて、レポートされることがある。これは、複数のＣＳＩレポートの送信スケジュール同士の衝突を引き起こす。例えば、チャネル品質指標（ＣＱＩ）が５ミリ秒（ｍｓ）ごとにレポートされるべきであり、ランク指標（ＲＩ）が２０ミリ秒（ｍｓ）ごとにレポートされるべきであることをチャネル状態情報（ＣＳＩ）レポート構成が示す場合、両方の指標がレポートされる２０ミリ秒（ｍｓ）ごとに衝突があることになろう。
【００４５】
３ＧＰＰリリース１０仕様では、端末装置（ＵＥ）１０４は、所与のコンポーネントキャリアのチャネル状態情報を推定するための１つだけの非ゼロ電力（ｎｏｎ−ｚｅｒｏ  ｐｏｗｅｒ）のＣＳＩ−ＲＳを用いて構成され、構成されたＣＳＩ−ＲＳに対応する１つだけのチャネル状態情報（ＣＳＩ）レポート生成モジュール１５６を有する。３ＧＰＰリリース１１仕様および３ＧＰＰリリース仕様の将来リリースでは、いずれのコンポーネントキャリアにも端末装置（ＵＥ）１０４によって受信される１つより多いＣＳＩ−ＲＳ構成およびＣＳＩ−ＲＳリソースがありうる。従って、サービングセルごとに複数のチャネル状態情報（ＣＳＩ）レポート生成モジュール１５６を利用することが有益であろう。
【００４６】
加えて、３ＧＰＰリリース１１仕様および３ＧＰＰリリース仕様の将来リリースでは、協調マルチポイント（ＣｏＭＰ）動作が、１つより多いＣＳＩ−ＲＳ構成を導入する。言い換えれば、複数の測定結果、すなわち、ＣＳＩ−ＲＳごとに１つと、場合によっては、構成されたＣＳＩ−ＲＳを用いて評価される複数のチャネルのすべてまたはサブセットを組み合せることにより得られる実効的なチャネルのチャネル状態情報（ＣＳＩ）を測定した、集約された測定結果とがありうる。状況によっては、所与のサブフレームでレポートされるか、および／または送信されるようにスケジュールされた１つ以上のチャネル状態情報（ＣＳＩ）レポートがありうる。衝突するチャネル状態情報（ＣＳＩ）レポートは、単一のＣＳＩ−ＲＳに対応する同じ測定結果に属することもあり、複数の異なるＣＳＩ−ＲＳに属することもあり、あるいは集約された測定結果（例えば、複数の異なるＣＳＩ−ＲＳにより評価されるチャネルの組み合わせに対して行われるチャネル状態情報測定、または、複数のポイントから送信されるＣＳＩ−ＲＳのＣＳＩ測定結果）に属することもある。このように、本明細書では衝突解決に関連する様々なシステムおよび方法が記載される。
【００４７】
チャネル状態情報（ＣＳＩ）レポート衝突解決モジュール１６０は、同じサービングセルでのチャネル状態情報（ＣＳＩ）レポート間の衝突を解決する。サービングセルは、このコンテキスト（ＣｏＭＰ  ＣＳＩ測定）ではコンポーネントキャリアを指すことに留意すべきである。特に、ＣｏＭＰの一実装では、ＣＳＩ−ＲＳ１が、端末装置の（ＵＥ）サービングセルからコンポーネントキャリア１上で送信され、ＣＳＩ−ＲＳ２が、異なるセルＩＤを有する端末装置の（ＵＥ）近接セルから同じコンポーネントキャリア１上で送信される。端末装置（ＵＥ）１０４がＣＳＩ−ＲＳとセルとの間の関連付けを認識しない限り、測定結果およびレポーティングは、かかる関連付けに捉われず、かつ透過的なことに留意すべきである。チャネル状態情報（ＣＳＩ）レポート衝突解決モジュール１６０の出力は、フィードバックされることになる単一のチャネル状態情報（ＣＳＩ）レポートである。チャネル状態情報（ＣＳＩ）レポート衝突解決モジュール１６０は、レポーティング・タイプ、レポーティング構成および／またはサービングセル・インデックスのような、様々な優先度付けに基づいて衝突を解決する。チャネル状態情報（ＣＳＩ）レポート衝突解決モジュール１６０は、異なるサービングセルまたは異なるコンポーネントキャリアからのチャネル状態情報（ＣＳＩ）レポート間の衝突も解決する。このように、衝突は、端末装置（ＵＥ）１０４において各サービングセル内で、および複数のサービングセルのうちで解決される。
【００４８】
図２は、端末装置（ＵＥ）１０４サービングセルにおけるＣＳＩ−ＲＳリソース、測定結果およびレポーティングの一構成を示すブロックダイアグラムである。１つ以上の対応するコンポーネントキャリア（ＣＣ）１０１（またはサービングセル）がある。例えば、コンポーネントキャリア１  １０１ａおよびコンポーネントキャリア２  １１０は、それぞれがサービングセルを表す。簡単にするために、コンポーネントキャリア１（またはサービングセル）１０１ａに関する以下の記載は、それぞれコンポーネントキャリア２（またはサービングセル）１０１ｂに適用できる。
【００４９】
端末装置（ＵＥ）１０４は、それぞれＣＳＩ−ＲＳ構成１−１  １０３ａおよびＣＳＩ−ＲＳ構成１−２  １０５ａによって構成される、ＣＳＩ−ＲＳ１−１  １０７ａおよびＣＳＩ−ＲＳ１−２  １０９ａを含む。図２のＣＳＩ−ＲＳ構成１０３ａおよび１０５ａは、図１に関連して考察されたＣＳＩ−ＲＳ構成モジュール１５２の例である。端末装置（ＵＥ）１０４は、ＣＳＩ測定結果１−１  １１５ａ、ＣＳＩ測定結果１−２  １１９ａ、および集約（ａｇｇｒｅｇａｔｅ）チャネル状態情報（ＣＳＩ）測定結果１  １１７ａを含む。図２のＣＳＩ測定モジュール１１５ａ、１１７ａおよび１１９ａは、図１に関連して考察されたＣＳＩ−ＲＳ測定モジュール１５４の例である。端末装置（ＵＥ）１０４は、チャネル状態情報（ＣＳＩ）レポート生成器１２９ａおよび対応するＣＳＩレポート構成１  １２７ａを含む。図２のチャネル状態情報（ＣＳＩ）レポート生成器１  １２９ａは、図１に関連して考察されたＣＳＩレポート生成モジュール１５６の一部である。図２のチャネル状態情報（ＣＳＩ）レポート構成１  １２７ａは、図１に関連して考察されたＣＳＩレポート構成モジュール１５８の一部である。端末装置（ＵＥ）１０４は、単一セル衝突解決モジュール１５３ａおよびマルチセル解決モジュール１５７を含む。単一セル衝突解決モジュール１５３ａおよび／またはマルチセル解決モジュール１５７は、図１に関連して考察されたＣＳＩレポート衝突解決モジュール１６０の一部である。
【００５０】
端末装置（ＵＥ）１０４は、コンポーネントキャリア（ＣＣ）１（またはサービングセル）１０１ａ上で信号を受信する。信号は、チャネル状態情報参照信号（チャネル状態情報参照信号（ＣＳＩ−ＲＳ））であってもよい。コンポーネントキャリア（ＣＣ）１  １０１ａが協調マルチポイント（ＣｏＭＰ）送信を利用している場合には、複数のＣＳＩ−ＲＳが受信され、各ＣＳＩ−ＲＩは、ＵＥのサービングセルまたは近接セルに属する。例えば、ＣＳＩ−ＲＳ１−１  １０７ａおよびＣＳＩ−ＲＳ１−２  １０９ａが受信される。簡単にするために、ＣＳＩ−ＲＳ１−Ｘは、コンポーネントキャリア（ＣＣ）１  １０１ａに関するＸ番目の構成されたＣＳＩ−ＲＳを指す。従って、ＣＳＩ−ＲＳ２−２  １０９ｂは、コンポーネントキャリア２  １０１ｂに関する２番目の構成されたＣＳＩ−ＲＳを指す。
【００５１】
各ＣＳＩ−ＲＳ（例えば、ＣＳＩ−ＲＳ１−１  １０７ａおよびＣＳＩ−ＲＳ１−２  １０９ａ）は、ＣＳＩ−ＲＳ構成（それぞれＣＳＩ−ＲＳ構成１−１  １０３ａおよびＣＳＩ−ＲＳ構成１−２  １０５ａ）に対応する。ＣＳＩ−ＲＳ構成は、ＣＳＩ−ＲＳシーケンス、周期、ＣＳＩ−ＲＳが送信されるアンテナポート、およびＣＳＩ−ＲＳシンボルにより占有されたリソース要素のパターンを含み、ｅＮｏｄｅ  Ｂ１０２によって設定される。ＣＳＩ−ＲＳ構成は、受信したＣＳＩ−ＲＳ（例えば、ＣＳＩ−ＲＳ１−１  １０７ａおよびＣＳＩ−ＲＳ１−２  １０９ａ）の構成について端末装置（ＵＥ）１０４に通知する。例えば、ＣＳＩ−ＲＳ１−１  １０７ａは、ＣＳＩ−ＲＳ１−１に示されるような周期およびリソース要素パターンに従って、ｅＮｏｄｅ  Ｂ１０２により送信される。加えて、複数のｅＮｏｄｅ  Ｂ１０２、または、１つのサービングセルおよび１つ以上の近接セルを含む複数のセルが、同じコンポーネントキャリア（ＣＣ）１０１ａを用いる場合には、構成されたＣＳＩ−ＲＳ（例えば、ＣＳＩ−ＲＳ１−１  １０７ａおよびＣＳＩ−ＲＳ１−２  １０９ａ）ごとに、端末装置（ＵＥ）１０４は、ｅＮｏｄｅ  Ｂ１０２からのＲＲＣシグナリングによってＣＳＩ−ＲＳ構成（例えば、ＣＳＩ−ＲＳ構成１−１  １０３ａおよびＣＳＩ−ＲＳ構成１−２  １０５ａ）を受信し、チャネル状態情報の測定、同期および／または復調を行うために、このＣＳＩ−ＲＳ構成（例えば、ＣＳＩ−ＲＳ構成１−１  １０３ａおよびＣＳＩ−ＲＳ構成１−２  １０５ａ）を受信信号（例えば、ＣＳＩ−ＲＳ１−１  １０７ａおよびＣＳＩ−ＲＳ構成１−２  １０９ａ）に適用する。
【００５２】
一構成において、各チャネル状態情報参照信号（ＣＳＩ−ＲＳ）１−１  １０７ａ、１−２  １０９ａは、それぞれが専用のチャネル状態情報（ＣＳＩ）レポート構成を有する。このことは、下の図４に記載される。別の構成では、各ＣＳＩ参照信号（ＣＳＩ−ＲＳ）１−１  １０７ａ、１−２  １０９ａは、単一のチャネル状態情報（ＣＳＩ）レポート構成１  １２７ａを共有する。
【００５３】
端末装置（ＵＥ）１０４は、各コンポーネントキャリア１０１ａで送信されるＣＳＩ−ＲＳ（例えば、ＣＳＩ−ＲＳ１−１  １０７ａおよびＣＳＩ−ＲＳ１−２  １０９ａ）ごとに、チャネル状態情報（ＣＳＩ）を測定する。このように、ＣＳＩ測定結果１−１  １１５ａおよびＣＳＩ測定結果１−２  １１９ａを取得するために、ＣＳＩ−ＲＳ１−１  １０７ａおよびＣＳＩ−ＲＳ１−２  １０９ａが測定される。集約されたチャネル（ａｇｇｒｅｇａｔｅｄ  ｃｈａｎｎｅｌ）のチャネル状態情報を測定することによって、集約チャネル状態情報（ＣＳＩ）測定結果１  １１７ａも取得される。集約されたチャネルを測定するために、端末装置（ＵＥ）１０４は、複数の構成されたＣＳＩ−ＲＳから受信した信号を端末装置（ＵＥ）１０４で重ね合わせる（例えば、加算する）ことにより計算される、組み合わせたチャネルを仮定する。集約されたチャネルは、構成されたＣＳＩ−ＲＳのすべて、またはサブセットを重ね合わせることにより導出される。集約されたチャネル状態情報は、集約されたチャネルがあると端末装置（ＵＥ）１０４が仮定して、複数のＣＳＩ−ＲＳによって測定される。留意すべきは、集約されたチャネル状態情報（ＣＳＩ）の測定に専用のＣＳＩ−ＲＳを割り当てることによって、集約ＣＳＩ測定結果１  １１７ａが、ＣＳＩ−ＲＳ１−１  １０７ａおよびＣＳＩ−ＲＳ１−２  １０９ａとは独立して取得されることである。これは、集約ＣＳＩ測定結果１  １１７ａに専用の別個のＣＳＩ−ＲＳ構成を必要とする。各チャネル状態情報（ＣＳＩ）測定は、チャネル品質インジケータ（ＣＱＩ）、プリコーディング・マトリックス・インジケータ（ＰＭＩ：ｐｒｅｃｏｄｉｎｇ  ｍａｔｒｉｘ  ｉｎｄｉｃａｔｏｒ）、プリコーディング・タイプ・インジケータ（ＰＴＩ：ｐｒｅｃｏｄｉｎｇ  ｔｙｐｅ  ｉｎｄｉｃａｔｏｒ）、ランク・インジケータ（ＲＩ：ｒａｎｋ  ｉｎｄｉｃａｔｏｒ）などのような、各チャネル状態情報（ＣＳＩ）を送ることができる。ＣＳＩ測定結果１−１  １１５ａ、集約ＣＳＩ測定結果１１７ａ、およびＣＳＩ測定結果１−２  １１９は、それぞれチャネル状態情報（ＣＳＩ）１２１ａ、１２３ａおよび１２５ａをチャネル状態情報（ＣＳＩ）レポート生成器１２９ａへ送ることができる。
【００５４】
チャネル状態情報（ＣＳＩ）レポート生成器１２９ａは、チャネル状態情報（ＣＳＩ）レポートを生成する。チャネル状態情報（ＣＳＩ）レポートは、Ｒｘ−ｙ−ｚフォーマット状であり、ここでｘはサービングセル・インデックスであり、ｙはＣＳＩレポート構成インデックスであり、ｚはレポート・インデックスである。従って、ｚは、サブフレームで生成されるレポートの番号を記載する。例えば、Ｒ１−１−３は、第１のサービングセルの第１のＣＳＩ−ＲＳに対応して生成される３番目のレポートを指す。
【００５５】
１つだけのチャネル状態情報（ＣＳＩ）レポート構成１２７およびチャネル状態情報（ＣＳＩ）レポート生成器１２９の場合には、チャネル状態情報（ＣＳＩ）レポートは、Ｒｘ−ｚフォーマット状に作られる。例えば、チャネル状態情報（ＣＳＩ）レポート生成器１２９ａは、ＣＳＩ測定結果１−１  １１５ａ、集約ＣＳＩ測定結果１１７ａ、およびＣＳＩ測定結果１−２  １１９ａに対応する、３つのチャネル状態情報（ＣＳＩ）レポートＲ１−１  １３９ａ、Ｒ１−２  １４１ａおよびＲ１−３  １４３ａを生成して、それぞれチャネル状態情報（ＣＳＩ）を送る。
【００５６】
チャネル状態情報（ＣＳＩ）レポート生成器１２９ａは、ＣＳＩレポート構成１  １２７ａから指示を得る。ＣＳＩレポート構成１  １２７ａは、ｅＮｏｄｅ  Ｂ１０２によって設定される。いくつかの構成において、ＣＳＩレポート構成１  １２７は、ＣＱＩレポート構成である。
【００５７】
図２は、各コンポーネントキャリアにおいて、２つのＣＳＩ−ＲＳ（例えば、１０７および１０９）、３つのＣＳＩ測定モジュール（例えば、１１５、１１７および１１９）、ならびに対応するＣＳＩレポート構成１２７をもつ１つのＣＳＩレポート生成器１２９を示す。しかし、Ｋが任意の正整数を表す場合に、Ｋ個のＣＳＩ−ＲＳ、Ｋ＋ｎ個の測定モジュール（ここで、＋ｎは、集約されたＣＳＩ測定モジュールの数を表す）、ならびに１、Ｋ、またはＫ＋ｎ個のＣＳＩレポート構成およびＣＳＩレポート生成器があってもよい。さらにまた、各ＣＳＩレポート生成器が対応するレポート構成を有し、ＣＳＩレポート生成器の数が１、Ｋ、またはＫ＋ｎ個であってもよく、Ｋ個である必要はない。
【００５８】
コンポーネントキャリア（ＣＣ）１またはサービングセル１０１ａ内で、端末装置（ＵＥ）１０４は、複数のチャネル状態情報（ＣＳＩ）レポートＲ１−１  １３９ａ、Ｒ１−２  １４１ａ、およびＲ１−３  １４３ａからの衝突を単一セル衝突解決モジュール１５３ａで解決する。単一セル衝突解決モジュール１５３ａは、レポート・タイプおよび／またはレポート構成に基づく優先度を用いることによって衝突を解決する。例えば、単一セル衝突解決モジュール１５３ａがレポート構成を用いる場合、単一セル衝突解決モジュール１５３ａは、低い方のＣＳＩレポート構成インデックス（例えば、ｚ）をもつチャネル状態情報（ＣＳＩ）レポートに、高い方のＣＳＩレポート構成インデックスをもつチャネル状態情報（ＣＳＩ）レポートの高い方の優先度を与えてもよく、またはその逆であってもよい。
【００５９】
端末装置（ＵＥ）１０４が複数のコンポーネントキャリア（ＣＣ）１０１（例えば、コンポーネントキャリア１（ＣＣ）１０１ａおよびコンポーネントキャリア２（ＣＣ）１０１ｂ）を用いて構成されている場合、端末装置（ＵＥ）１０４は、マルチセル解決モジュール１５７を用いてマルチ・コンポーネントキャリア衝突を解決する。マルチセル解決モジュール１５７は、コンポーネントキャリア（ＣＣ）１０１ごとに最高チャネル状態情報（ＣＳＩ）レポート１５５ａおよび１５５ｂを受信して、最優先１５９のチャネル状態情報（ＣＳＩ）レポートを決定する。最優先１５９のチャネル状態情報（ＣＳＩ）レポートは、次にｅＮｏｄｅ  Ｂ１０２へ送信される。いくつかの場合に、マルチセル解決モジュール１５７は、どのサービングセルまたはコンポーネントキャリア（ＣＣ）１０１が最も低いサービングセル・インデックスを有するかに基づいて優先度を決定する。例えば、コンポーネントキャリア１（ＣＣ）１０１ａおよびコンポーネントキャリア２  １０１ｂからのチャネル状態情報（ＣＳＩ）レポート１５５ａおよび１５５ｂが同じ優先度を有した場合には、コンポーネントキャリア１  １０１ａがコンポーネントキャリア２  １０１ｂのサービングセル・インデックス（すなわち、２）より低いサービングセル・インデックス（すなわち、１）を有するために、マルチセル解決モジュール１５７は、コンポーネントキャリア１（ＣＣ）１０１ａからのチャネル状態情報（ＣＳＩ）レポート１５５ａが最優先１５９チャネル状態情報（ＣＳＩ）レポートであると決定するであろう。セル・インデックスおよび／またはレポート構成の優先順位は、先験的に設定されてもよく、または、ｅＮｏｄｅ  Ｂにより無線リソース制御（ＲＲＣ）シグナリングを用いて構成されてもよい。
【００６０】
図３は、上りリンク制御情報（ＵＣＩ）多重を用いたワイヤレス通信システム２００を示すブロックダイアグラムである。ｅＮｏｄｅ  Ｂ２０２は、１つ以上の端末装置（ＵＥ）２０４とワイヤレス通信を行う。ｅＮｏｄｅ  Ｂ２０２は、図１と関連して記載されるｅＮｏｄｅ  Ｂ１０２の例である。ｅＮｏｄｅ  Ｂ２０２は、協調マルチポイント（ＣｏＭＰ）システムの一部である。例として、ｅＮｏｄｅ  Ｂ２０２は、サービングｅＮｏｄｅ  Ｂ１０２ａまたは協力ｅＮｏｄｅ  Ｂ１０２ｂであってもよい。
【００６１】
端末装置（ＵＥ）２０４は、図１と関連して記載される端末装置（ＵＥ）１０４の例である。例えば、端末装置（ＵＥ）２０４は、上りリンクチャネル情報（ＵＣＩ）レポーティング・モジュール２１４を含む。ＵＣＩレポーティング・モジュール２１４は、ＣＳＩレポート２３６およびチャネル状態情報（ＣＳＩ）２４１を含む。図３のＵＣＩレポーティング・モジュール２１４は、図１のＣＳＩモジュール１５０の一例であるか、および／または、それを含む。例えば、図１のＣＳＩレポート生成モジュール１５６は、図３のＣＳＩレポート２３６を生成する。
【００６２】
端末装置（ＵＥ）２０４は、１つ以上の物理アンテナ２９９ａ〜ｎによって実現される、１つ以上のアンテナポートを用いてｅＮｏｄｅ  Ｂ２０２と通信する。端末装置（ＵＥ）２０４は、トランシーバ２１７、デコーダ２２７、エンコーダ２３１、および操作モジュール２３３を含む。トランシーバ２１７は、受信機２１９および送信機２２３を含む。受信機２１９は、１つ以上の物理アンテナ２９９ａ〜ｎによって実現される、１つ以上のアンテナポートを用いてｅＮｏｄｅ  Ｂ２０２から信号を受信する。例えば、受信機２１９は、受信信号を受信し、復調器２２１を用いてこれを復調する。送信機２２３は、１つ以上の物理アンテナ２９９ａ〜ｎによって実現される、１つ以上のアンテナポートを用いてｅＮｏｄｅ  Ｂ２０２へ信号を送信する。例えば、送信機２２３は、変調器２２５を用いて信号を変調し、変調した信号を送信する。
【００６３】
受信機２１９は、復調した信号をデコーダ２２７に供給する。端末装置（ＵＥ）２０４は、デコーダ２２７を用いて信号を復号し、下りリンク復号結果２２９を作成する。下りリンク復号結果２２９は、データが正しく受信されたかどうかを示す。例えば、下りリンク復号結果２２９は、パケットが正しく、または誤って受信されたかどうか（すなわち、肯定応答、否定応答、または不連続送信（信号なし））を示す。一構成において、受信機２１９は、１つ以上の協調マルチポイント（ＣｏＭＰ）送信信号を受信する。例えば、端末装置（ＵＥ）２０４は、複数のコンポーネントキャリア１０１を含み、各コンポーネントキャリア１０１は、１つ以上の送信ポイント１１０から信号を受信する。異なる送信ポイントからコンポーネントキャリア１０１と関連付けられた複数のセルは、同じセルＩＤを有する単一のサービングセルを表してもよく、あるいは、異なるセルＩＤを有してもよく、そこでは一方のセルがサービングセルと呼ばれ、他方のセルが近接セルと呼ばれる。１つのサービングセルおよび１つ以上の近接セルがある場合、すべてのセルが単一のｅＮｏｄｅ  Ｂ１０２での、または１つより多いｅＮｏｄｅ  Ｂ１０２ａ〜ｂでのプロセスであってよいことにも留意すべきである。
【００６４】
操作モジュール２３３は、端末装置（ＵＥ）２０４の通信を制御するために用いられるソフトウェアおよび／またはハードウェア・モジュールである。例えば、操作モジュール２３３は、端末装置（ＵＥ）２０４がｅＮｏｄｅ  Ｂ２０２と通信するためのリソースをいつ必要とするか決定する。
【００６５】
端末装置（ＵＥ）２０４は、上りリンク制御情報（ＵＣＩ）を上りリンク上でｅＮｏｄｅ  Ｂ２０２へ送信する。上りリンク制御情報（ＵＣＩ）は、チャネル状態情報（ＣＳＩ）２４１であってもよく、チャネル品質インジケータ（ＣＱＩ）、プリコーディング・マトリックス・インジケータ（ＰＭＩ）、プリコーディング・タイプ指標（ＰＴＩ：ｐｒｅｃｏｄｉｎｇ  ｔｙｐｅ  ｉｎｄｉｃａｔｉｏｎ）、ランク指標（ＲＩ）、スケジューリング要求（ＳＲ：ｓｃｈｅｄｕｌｉｎｇ  ｒｅｑｕｅｓｔ）などを含む。
【００６６】
チャネル品質インジケータ（ＣＱＩ）は、変調方式および符号化率の組み合わせを示す。プリコーディング・マトリックス・インジケータ（ＰＭＩ）は、ＭＩＭＯ送信のプリコーディングを行うためのコードブックを示す。プリコーディング・タイプ指標（ＰＴＩ）は、プリコーディング・タイプを示す。ランク指標（ＲＩ）は、ＭＩＭＯ送信に有用な送信レイヤの番号を示す。チャネル品質インジケータ（ＣＱＩ）フィードバックには異なるタイプがある。周期的レポーティングには、広帯域フィードバック（ＷＢ−ＣＱＩ）およびＵＥ選択サブバンド・フィードバック（ＵＥ−ＣＱＩ）がある。広帯域フィードバック（ＷＢ−ＣＱＩ）では、端末装置（ＵＥ）２０４は、システム帯域幅全体について１つの広帯域チャネル品質インジケータ（ＣＱＩ）値をレポートする。ＵＥ選択サブバンドフィードバック（ＵＥ−ＣＱＩ）では、端末装置（ＵＥ）２０４は、システム帯域幅全体の代わりにいくつかのサブバンドについてチャネル品質インジケータ（ＣＱＩ）をレポートする。システム帯域幅は、表１に示されるように、Ｊ個の帯域幅部分に分割される。
【００６７】
【表１】
2015511777.tif 000003
【００６８】
一構成において、チャネル状態情報（ＣＳＩ）２４１（例えば、ＣＱＩ／ＰＭＩ／ＰＴＩ／ＲＩ）は、別々に符号化される。別の構成では、チャネル状態情報（ＣＳＩ）２４１は、一緒に符号化される。本明細書では、ＣＱＩ／ＰＭＩ／ＰＴＩ／ＲＩは、ＣＱＩおよび／またはＰＭＩおよび／またはＰＴＩおよび／またはＲＩを指す。ＣＱＩおよび／またはＰＭＩおよび／またはＰＴＩおよび／またはＲＩは、物理上りリンク制御チャネル（ＰＵＣＣＨ）レポーティング・モードに基づいて、一緒に、または独立してレポートされる。ＣＱＩ／ＰＭＩ／ＰＴＩ／ＲＩは、集合的にチャネル状態情報（ＣＳＩ）２４１と呼ばれる。チャネル状態情報（ＣＳＩ）レポートは、従ってＣＱＩ／ＰＭＩ／ＰＴＩ／ＲＩレポートを含む。
【００６９】
端末装置（ＵＥ）２０４からｅＮｏｄｅ  Ｂ２０２へのチャネル状態情報（ＣＳＩ）２４１レポーティングは、周期的または非周期的であってもよい。非周期的チャネル状態情報（ＣＳＩ）レポートは、ｅＮｏｄｅ  Ｂ２０２によって要求される。周期的チャネル状態情報（ＣＳＩ）レポートは、予め指定されたサブフレームで端末装置（ＵＥ）２０４がｅＮｏｄｅ  Ｂ２０２にチャネル状態情報（ＣＳＩ）２４１をレポートするように、ｅＮｏｄｅ  Ｂ２０２によって構成される。
【００７０】
チャネル状態情報（ＣＳＩ）レポート２３６は、上りリンク制御情報（ＵＣＩ）レポーティング・モジュール２１４によって生成されて、エンコーダ２３１の一部であるチャネル状態情報（ＣＳＩ）エンコーダ２５６へ移される。チャネル状態情報（ＣＳＩ）エンコーダ２５６は、後方互換性のある物理上りリンク制御チャネル（ＰＵＣＣＨ）フォーマットを用いて、上りリンク制御情報（ＵＣＩ）を生成する。後方互換性のある物理上りリンク制御チャネル（ＰＵＣＣＨ）フォーマットとは、リリース１０の端末装置（ＵＥ）２０４ならびにリリース８／９の端末装置（ＵＥ）２０４によって用いられるフォーマットである。
【００７１】
チャネル状態情報（ＣＳＩ）レポート２３６は、アンテナポートの数も含む。例えば、チャネル状態情報（ＣＳＩ）レポート２３６が８つのアンテナポート、４つのアンテナポート、または２つのアンテナポートに対応することがある。チャネル状態情報（ＣＳＩ）レポート２３６は、チャネル状態情報（ＣＳＩ）レポート２３６の対応するコンポーネントキャリア（ＣＣ）２０８（またはセル２８５）をさらに含む。これは、チャネル状態情報（ＣＳＩ）選択モジュール２５７が、上位レイヤ２１８によってシグナリングされた無線リソース制御（ＲＲＣ）に基づく優先度付けを用いてチャネル状態情報（ＣＳＩ）レポート２３６に優先度を付けることを可能にする。無線リソース制御（ＲＲＣ）に基づく優先度付けとは、コンポーネントキャリア（ＣＣ）２０８の優先順位（例えば、ＣＣ１＞ＣＣ２＞ＣＣ３）を指定する所定のコンポーネントキャリア（ＣＣ）２０８優先度付けルールを指す。
【００７２】
チャネル状態情報（ＣＳＩ）レポート２３６は、優先番号をさらに含む。レポーティング・フォーマットごとに、優先番号が定義される。増加する順に、優先度が下がる（すなわち、低い優先番号の方が高い優先度を有する）。優先番号は、レポーティング・モード、（ＰＵＣＣＨレポーティング・タイプ、ＰＵＣＣＨ  ＣＳＩレポーティング・タイプ、ＣＳＩレポーティング・タイプなどとも呼ばれる）フィードバック・レポーティング・タイプ、アンテナポートの数、およびランク指標（ＲＩ）に従って定義される。
【００７３】
チャネル状態情報（ＣＳＩ）エンコーダ２５６がチャネル状態情報（ＣＳＩ）選択モジュール２５７を含んでもよい。リリース８では、端末装置（ＵＥ）２０４は、物理上りリンク制御チャネル（ＰＵＣＣＨ）および物理上りリンク共有チャネル（ＰＵＳＣＨ）上で同時に送信することはない。物理上りリンク制御チャネル（ＰＵＣＣＨ）上では１つのチャネル状態情報（ＣＳＩ）レポート２３６しか送信できない。従って、チャネル状態情報（ＣＳＩ）選択モジュール２５７は、物理上りリンク制御チャネル（ＰＵＣＣＨ）上でどのチャネル状態情報（ＣＳＩ）レポート２３６が送信されるべきかを決定するために用いられる。
【００７４】
チャネル状態情報（ＣＳＩ）選択モジュール２５７は、複数のチャネル状態情報（ＣＳＩ）レポート２３６を受信する。チャネル状態情報（ＣＳＩ）選択モジュール２５７は、次に、複数のチャネル状態情報（ＣＳＩ）レポート２３６のうちから最優先チャネル状態情報（ＣＳＩ）レポート２５１を決定する。チャネル状態情報（ＣＳＩ）選択モジュール２５７は、最優先チャネル状態情報（ＣＳＩ）レポート２５１を決定するために、（ＰＵＣＣＨレポーティング・モード、ＰＵＣＣＨ  ＣＳＩレポーティング・モード、ＰＵＣＣＨ  ＣＳＩレポーティング・モード、ＣＳＩレポーティング・モードなどとも呼ばれる）フィードバック・レポーティング・モード、（ＰＵＣＣＨレポーティング・タイプ、ＰＵＣＣＨ  ＣＳＩレポーティング・タイプ、ＣＳＩレポーティング・タイプなどとも呼ばれる）フィードバック・レポーティング・タイプ、アンテナポートの数、チャネル状態情報（ＣＳＩ）レポート２３６の対応するコンポーネントキャリア（ＣＣ）２０８（またはセル２８５）、および／または、優先番号のうちの１つ以上を用いる。例えば、チャネル状態情報（ＣＳＩ）選択モジュール２５７は、フィードバック・レポーティング・モードとそれに続くフィードバック・レポーティング・タイプに基づいて、チャネル状態情報（ＣＳＩ）レポート２３６に優先度を付ける。チャネル状態情報（ＣＳＩ）選択モジュール２５７によって受信されて、最優先チャネル状態情報（ＣＳＩ）レポート２５１としては選択されないチャネル状態情報（ＣＳＩ）レポート２３６は、次にチャネル状態情報（ＣＳＩ）選択モジュール２５７によって落とされる。
【００７５】
上りリンク制御情報（ＵＣＩ）の送信のために、いずれかの衝突問題を解決する衝突解決手順を用いて、物理上りリンク制御チャネル（ＰＵＣＣＨ）の１つのリソースを割り当てることができる。チャネル状態情報（ＣＳＩ）２４１の送信のスケジューリングにおける衝突の場合には、衝突解決手順は、送信に用いられるリソースおよびフォーマットを決定するために用いられる。
【００７６】
チャネル状態情報（ＣＳＩ）２４１のための物理上りリンク制御チャネル（ＰＵＣＣＨ）は、ｅＮｏｄｅ  Ｂ２０２によって準静的にスケジューリングされるが、物理上りリンク制御チャネル（ＰＵＣＣＨ）は、下りリンク構成および送信に基づいて動的に割り当てられてもよい。上りリンク制御情報（ＵＣＩ）は、物理上りリンク制御チャネル（ＰＵＣＣＨ）を用いて送信される。
【００７７】
ロング・ターム・エボリューション（ＬＴＥ）リリース８では、各端末装置（ＵＥ）２０４への送信およびそれからの受信に１つだけの上りリンク・コンポーネントキャリア（ＣＣ）２０６またはセル２８５、および１つの下りリンク・コンポーネントキャリア（ＣＣ）２０８またはセル２８５を用いることができる。周期的チャネル品質インジケータ（ＣＱＩ）、周期的プリコーディング・マトリックス・インジケータ（ＰＭＩ）および周期的ランク指標（ＲＩ）のような、上りリンク制御情報（ＵＣＩ）は、物理上りリンク制御チャネル（ＰＵＣＣＨ）上で送ることができる。物理上りリンク制御チャネル（ＰＵＣＣＨ）は、各スロットが１つのリソースブロック（ＲＢ）を占有する。従って、物理上りリンク制御チャネル（ＰＵＣＣＨ）上で極めて限られた情報量しか送ることができない。
【００７８】
３ＧＰＰのリリース８、リリース９およびリリース１０では、各端末装置（ＵＥ）２０４は、セル固有の非ゼロ電力のＣＳＩ−ＲＳを用いて構成される。各ＣＳＩ−ＲＳ構成は、参照信号シーケンス、参照信号の送信の周期、参照信号の送信に割り当てられるリソース要素、および参照信号の送信に割り当てられるアンテナポートを決定する。加えて、各端末装置（ＵＥ）２０４のレポーティング・パラメータは、ＵＥに固有なように構成される。レポーティング構成は、各ＣＳＩ測定（例えば、ＣＱＩ／ＰＭＩ／ＰＴＩ／ＲＩ）の周期を決定する。
【００７９】
３ＧＰＰ  ＬＴＥリリース１０（ＬＴＥ−ＡまたはアドバンストＥＵＴＲＡＮ）では、キャリアアグリゲーションが導入された。キャリアアグリゲーションは、セルアグリゲーションとも呼ばれる。キャリアアグリゲーションは、上りリンクおよび下りリンクの両方で５つまでのコンポーネントキャリア（ＣＣ）２０６、２０８を用いてサポートされる。各コンポーネントキャリア（ＣＣ）２０６、２０８またはセル２８５は、２１０個までのリソースブロック（すなわち、２０メガヘルツ（ＭＨｚ）まで）の送信帯域幅を有しうる。キャリアアグリゲーションでは、１００メガヘルツ（ＭＨｚ）までのより広い送信帯域幅をサポートするために、２つ以上のコンポーネントキャリア（ＣＣ）２０６、２０８がアグリゲートされる。端末装置（ＵＥ）２０４は、端末装置（ＵＥ）２０４のケイパビリティに依存して、１つまたは複数のコンポーネントキャリア（ＣＣ）２０６、２０８上で同時に受信および／または送信できる。
【００８０】
加えて、リリース１０では各コンポーネントキャリア（ＣＣ）２０８またはセルの周期的ＣＳＩ（例えば、ＣＱＩ／ＰＭＩ／ＰＴＩ／ＲＩ）２４１の循環的なレポーティングがサポートされる。従って、リリース８に見られるのと同じ周期的チャネル状態情報（ＣＳＩ）２４１を用いることができる。言い換えれば、コンポーネントキャリア（ＣＣ）２０８またはセル２８５のＣＱＩ／ＰＭＩ／ＰＴＩ／ＲＩレポーティングに、フォーマット２またはフォーマット３に基づく物理上りリンク制御チャネル（ＰＵＣＣＨ）プロトコルを用いることができる。
【００８１】
ｅＮｏｄｅ  Ｂ２０２は、多数のセルの集中スケジューリングを行うことができる。情報の物理的送信は、１つの送信ポイント（ＴＰ）１１０または多くのＴＰ１１０ａ〜ｃから生じる。異なるＴＰ１１０ａ〜ｃは、異なるキャリア２０６（またはセル２８５）上の下りリンク２０８で情報を送信する。
【００８２】
２つの異なる（地理的に離れた）ＴＰ１１０が、同じキャリア２０６で同じ端末装置（ＵＥ）２０４にサービスを供する場合、これは、協調マルチポイント（ＣｏＭＰ）送信と呼ばれる。２つの異なるＴＰ１１０からの下りリンク送信は、同じセルＩＤを有しても、有さなくてもよい。それらが同じセルＩＤを有さない場合には、それらの一方はサービングセルであり、他方は近接セルである。送信／受信ポイントがマクロセル６５７と同じセルＩＤを有するとき、すべての送信ポイントは同じセル固有の参照信号（ＣＲＳ）を送信すると一般に理解されているが、異なるチャネル状態情報参照信号（ＣＳＩ−ＲＳ）を送信することができる。
【００８３】
ＣｏＭＰ  ＪＴでは、プリコーディングおよび／または符号化ならびに変調方式のような送信パラメータ、ｅＮｏｄｅ  Ｂ２０２は、集約されたチャネルのチャネル状態情報（ＣＳＩ）２４１を利用できる。これは、リリース１１およびそれ以降では、同じコンポーネントキャリア上で複数のＣＳＩ−ＲＳ（例えば、Ｆｉｒｓｔ−ＲＳおよびＳｅｃｏｎｄ−ＲＳ）が送信されてもよいためである。Ｆｉｒｓｔ−ＲＳおよびＳｅｃｏｎｄ−ＲＳは、第１および第２の参照信号（ＲＳ）を指す。Ｆｉｒｓｔ−ＲＳおよびＳｅｃｏｎｄ−ＲＳのＣＳＩ−ＲＳ構成は、第１および第２の参照信号（ＲＳ）構成を指す。Ｆｉｒｓｔ−ＲＳ構成は、以前に存在した単一のＣＳＩ−ＲＳ構成、すなわち、３ＧＰＰ仕様のリリース１０を指してもよい。Ｆｉｒｓｔ−ＲＳおよびＳｅｃｏｎｄ−ＲＳは、それぞれＦｉｒｓｔ−ＲＳおよびＳｅｃｏｎｄ−ＲＳチャネル状態情報（ＣＳＩ）レポート２３６を送信するように構成される。Ｆｉｒｓｔ−ＲＳおよびＳｅｃｏｎｄ−ＲＳは、ＣＳＩ−ＲＳ構成におけるＣＳＩ−ＲＳインデックスに対応する。
【００８４】
集約された（例えば、組み合わせた、複合の、または実効的な）ＣＳＩおよびｐｅｒ−ＣＳＩ−ＲＳ（集約されない）ＣＳＩの送信を用いて３ＧＰＰリリース１１仕様および３ＧＰＰシステムの将来リリースを有効にすると、フレキシブルなスケジューリングが可能になることにより、システムスループットが向上し、かつリソース活用が高まるので有益であろう。かくして、チャネル状態情報（ＣＳＩ）２４１は、適切な測定結果およびｅＮｏｄｅ  Ｂ２０２へのフィードバックを与えることができるように修正される必要がある。
【００８５】
３ＧＰＰリリース１０仕様におけるように、単一のレポーティング構成が用いられるときには、集約されない測定結果でも集約された測定結果でも、ＣＱＩ、ＰＭＩ、ＰＴＩおよびＲＩ測定結果は、フォーマットおよびタイプが共通である。しかしながら、ＣｏＭＰを用いたＣＳＩレポートの送信に適応するためには、追加のタイプが含まれる必要がある。例えば、チャネル状態情報（ＣＳＩ）２４１は、集約されたチャネル品質インジケータ（ａｇｇ＿ＣＱＩ）、集約されたプリコーディング・マトリックス・インジケータ（ａｇｇ＿ＰＭＩ）、集約されたプリコーディング・タイプ・インジケータ（ａｇｇ＿ＰＴＩ）および集約されたランク・インジケータ（ａｇｇ＿ＲＩ）のような、集約測定結果を含むように修正される。集約されたＣＳＩ情報は、ａｇｇ＿ＣＳＩと呼ばれる。ａｇｇ＿ＣＳＩは、２つ以上のＴＰ１１０が下りリンク２０８送信のために同じキャリアを用いるときに測定されることに留意すべきである。
【００８６】
加えて、相対位相および相対振幅のような、新しいチャネル状態情報（ＣＳＩ）２４１が追加される。相対位相および相対振幅は、それぞれＩＮＴＥＲ−ＣＳＩ−ＲＳ−ＰＨＡＳＥおよびＩＮＴＥＲ−ＣＳＩ−ＲＳ−ＡＭＰＬＩＴＵＤＥと呼ばれる。ＩＮＴＥＲ−ＣＳＩ−ＲＳ−ＰＨＡＳＥは、参照送信ポイント（ＴＰ）１１０ａ（またはチャネル状態情報参照信号（ＣＳＩ−ＲＳ））および別のＴＰ１１０ｃ（またはＣＳＩ−ＲＳ）の間の受信信号の相対位相を測定する。ＩＮＴＥＲ−ＣＳＩ−ＲＳ−ＡＭＰＬＩＴＵＤＥは、参照ＴＰまたはポイント１１０ａ（もしくはＣＳＩ−ＲＳ）および別のＴＰまたはポイント１１０ｃ（もしくはＣＳＩ−ＲＳ）からの受信信号の相対振幅を測定する。
【００８７】
単一のコンポーネントキャリア（ＣＣ）２０８（またはセル２８５）からの複数のチャネル状態情報（ＣＳＩ）レポート２３６が同じサブフレームでレポートされるようにスケジュールされているときには、衝突が生じるであろう。加えて、同じサブフレームでレポートされるようにスケジュールされた、異なるコンポーネントキャリア（ＣＣ）２０６からの異なるタイプのチャネル状態情報（ＣＳＩ）２４１も、衝突を引き起こすであろう。言い換えれば、送信のための複数の上りリンク制御情報（ＵＣＩ）要素を有する端末装置（ＵＥ）２０４は、衝突を経験することがある。いくつかの衝突解決手順は、３ＧＰＰリリース１０仕様で既に定義されている。３ＧＰＰリリース１１仕様および３ＧＰＰの将来リリースでは追加の衝突解決手順が必要であろう。例えば、協調マルチポイント（ＣｏＭＰ）送信では、新しい上りリンク制御情報（ＵＣＩ）による衝突解決を規定する必要がある。
【００８８】
物理上りリンク制御チャネル（ＰＵＣＣＨ）が低ペイロード・サイズであるために、チャネル状態情報（ＣＳＩ）レポート２３６のいくつかは、衝突の間に落とされる。このように、衝突が生じるときに、１つ以上のチャネル状態情報（ＣＳＩ）レポート２３６が落とされる（すなわち、送信されない）。それゆえに、どのチャネル状態情報（ＣＳＩ）レポート２３６を送信して、どれを落とすべきかを選択するためのシステムおよび方法を提供することが有益であろう。
【００８９】
一構成において、ＣｏＭＰに関係するＣＳＩ２４１同士の衝突解決は、非ＣｏＭＰ  ＣＳＩ同士の衝突解決のための手順に従ってもよい。しかしながら、ＣｏＭＰ送信に適応するために追加のＣＳＩ２４１要素が加えられるため、非ＣｏＭＰ法では不十分である。例えば、ＩＮＴＥＲ−ＣＳＩ−ＲＳ−ＰＨＡＳＥおよびＩＮＴＥＲ−ＣＳＩ−ＲＳ−ＡＭＰＬＩＴＵＤＥは、非ＣｏＭＰ  ＣＳＩに同等のものがない。これは、他のＵＣＩを伴うＩＮＴＥＲ−ＣＳＩ−ＲＳ−ＰＨＡＳＥおよびＩＮＴＥＲ−ＣＳＩ−ＲＳ−ＡＭＰＬＩＴＵＤＥのための衝突解決がまだ定義されていないためである。
【００９０】
加えて、ＣｏＭＰに関係するチャネル状態情報（ＣＳＩ）レポート２３６が非ＣｏＭＰレポートと衝突するときの衝突解決手順は、いまだに定義されていない。従って、例として、集約ＣＱＩ（ａｇｇ＿ＣＱＩ）がランク・インジケータ（ＲＩ）と衝突するときに、どのチャネル状態情報（ＣＳＩ）レポート２３６を送信して、どのチャネル状態情報（ＣＳＩ）レポート２３６を落とすべきかが現時点では不明確である。
【００９１】
本明細書に記載されるシステムおよび方法は、複数のレポーティング構成をサポートする優先度付けの様々な方法を示す。これらの方法は、１つより多いＣＳＩレポート構成をサポートする。これは、ある程度、対応する優先度付けルールおよび手法によって可能になる。例えば、ＣＳＩレポート構成インデックスに基づく優先度付けがサポートされる。さらにまた、これらの方法は、集約されたＣＱＩ、ＰＭＩ、ＰＴＩ、ＲＩ、ＩＮＴＥＲ−ＣＳＩ−ＲＳ−ＰＨＡＳＥおよびＩＮＴＥＲ−ＣＳＩ−ＲＳ−ＡＭＰＬＩＴＵＤＥのためのレポーティング・タイプをサポートする。言い換えれば、本方法は、部分的に、チャネル状態情報（ＣＳＩ）レポート２３６がＣＳＩ−ＲＳか、または集約されたＣＳＩのいずれと関連付けられるかに関して優先度が付けられる。
【００９２】
加えて、各ＣＳＩレポート構成が単一のＣＳＩ−ＲＳと関連付けられる、３ＧＰＰリリース１０仕様に利用される既存の方式とは異なり、各ＣＳＩレポートは、単一のＣＳＩ−ＲＳと関連付けられる必要がない。言い換えれば、各チャネル状態情報（ＣＳＩ）レポート２３６は、Ｆｉｒｓｔ−ＣＳＩ測定結果、Ｓｅｃｏｎｄ−ＣＳＩおよび／またはＡｇｇｒｅｇａｔｅｄ−ＣＳＩ測定結果のような、１つまたは複数のＣＳＩ測定結果と関連付けられる。さらにまた、優先度付けは、各サービングセル内で生じるだけでなく、優先度付けは、同じ端末装置（ＵＥ）１０４内に構成された複数のサービングセル間で発生してもよい。優先度付けは、最優先チャネル状態情報（ＣＳＩ）レポート２５１を決定するために無線リソース制御（ＲＲＣ）シグナリングを利用することもできる。
【００９３】
本明細書に記載されるシステムおよび方法の別の利益は、チャネル状態情報（ＣＳＩ）レポート２３６をスケジュールするための追加的な機会をｅＮｏｄｅ  Ｂ１０２に提供することである。これは、次には、ｅＮｏｄｅ  Ｂ１０２がリソースをより効率的にスケジュールすることを可能にして、セルラーネットワークにおけるスペクトルのより良好な使用とユーザ経験の改善とをもたらす。
【００９４】
一構成において、１つ以上のＣＳＩ−ＲＳ構成（例えば、Ｆｉｒｓｔ−ＲＳおよびＳｅｃｏｎｄ−ＲＳ）のそれぞれに対してチャネル状態情報（ＣＳＩ）レポート２３６が用いられる。例えば、Ｆｉｒｓｔ−ＲＳは、１つのチャネル状態情報（ＣＳＩ）レポート２３６に対応し、Ｓｅｃｏｎｄ−ＲＳは、第２のチャネル状態情報（ＣＳＩ）レポート２３６に対応する。各レポートは、集約された測定結果の送信も同様にサポートする。例えば、Ｆｉｒｓｔ−ＲＳに関するチャネル状態情報（ＣＳＩ）レポート２３６は、Ｆｉｒｓｔ−ＲＳに関する測定結果、ならびにＡｇｇｒｅｇａｔｅｄ−ＲＳに関する測定結果を含む。
【００９５】
一構成において、集約されたＣＱＩ、ＰＭＩ、ＰＴＩおよび／またＲＩの送信のために、新しいチャネル状態情報（ＣＳＩ）レポート２３６が構成される。例えば、Ｆｉｒｓｔ−ＲＳおよびＳｅｃｏｎｄ−ＲＳの集約測定結果は、Ａｇｇｒｅｇａｔｅ−ＲＳ測定結果として、Ｆｉｒｓｔ−ＲＳおよびＳｅｃｏｎｄ−ＲＳ測定結果のレポートとは独立してチャネル状態情報（ＣＳＩ）レポート２３６で送信される。この場合、ＩＮＴＥＲ−ＣＳＩ−ＲＳ−ＡＭＰＬＩＴＵＤＥおよびＩＮＴＥＲ−ＣＳＩ−ＲＳ−ＰＨＡＳＥ測定結果は、各ＣＳＩ−ＲＳと関連付けられたレポートで運ばれる。代わりに、ＩＮＴＥＲ−ＣＳＩ−ＲＳ−ＡＭＰＬＩＴＵＤＥおよびＩＮＴＥＲ−ＣＳＩ−ＲＳ−ＰＨＡＳＥは、集約されたＣＳＩ測定結果（例えば、Ａｇｇｒｅｇａｔｅｄ−ＲＳ）と関連付けられた新しいチャネル状態情報（ＣＳＩ）レポート２３６によって運ばれてもよい。
【００９６】
端末装置（ＵＥ）２０４は、複数のコンポーネントキャリア（ＣＣ）２０８またはセル２８５を同時刻に用いてｅＮｏｄｅ  Ｂ２０２と通信する。例えば、端末装置（ＵＥ）２０４は、プライマリセル（ＰＣｅｌｌ：ｐｒｉｍａｒｙ  ｃｅｌｌ）２８５ａを用いてｅＮｏｄｅ  Ｂ２０２と通信し、一方で同時にセカンダリセル（単数または複数）（ＳＣｅｌｌ：ｓｅｃｏｎｄａｒｙ  ｃｅｌｌ）２８５ｂを用いてｅＮｏｄｅ  Ｂ２０２と通信する。同様に、ｅＮｏｄｅ  Ｂ２０２は、複数のコンポーネントキャリア（ＣＣ）２０８またはセル２８５を同時刻に用いて端末装置（ＵＥ）２０４と通信する。例えば、ｅＮｏｄｅ  Ｂ２０２は、プライマリセル（ＰＣｅｌｌ）２８５ａを用いて端末装置（ＵＥ）２０４と通信し、一方で同時にセカンダリセル（単数または複数）（ＳＣｅｌｌ）２８５ｂを用いて端末装置（ＵＥ）２０４と通信する。
【００９７】
ｅＮｏｄｅ  Ｂ２０２は、受信機２０９および送信機２１３を含んだトランシーバ２０７を含む。加えて、ｅＮｏｄｅ  Ｂ２０２は、デコーダ２０３、エンコーダ２０５および操作モジュール２９４を含む。ｅＮｏｄｅ  Ｂ２０２は、１つ以上の物理アンテナ２９７ａ〜ｎおよびその受信機２０９によって実現される、その１つ以上のアンテナポートを用いて、上りリンク制御情報（ＵＣＩ）を受信する。受信機２０９は、上りリンク制御情報（ＵＣＩ）を復調するために復調器２１１を用いる。
【００９８】
デコーダ２０３は、上りリンク制御情報（ＵＣＩ）受信モジュール２９５を含む。ｅＮｏｄｅ  Ｂ２０２は、ｅＮｏｄｅ  Ｂ２０２によって受信された上りリンク制御情報（ＵＣＩ）２９３を復号して翻訳するために（すなわち、最優先チャネル状態情報（ＣＳＩ）レポート２５１を復号して翻訳するために）、上りリンク制御情報（ＵＣＩ）受信モジュール２９５を用いる。ｅＮｏｄｅ  Ｂ２０２は、復号された上りリンク制御情報（ＵＣＩ）２９３を用い、端末装置（ＵＥ）２０４のためにスケジュールされた通信リソースに基づいて、いくつかの操作を行う、例えば、１つ以上のパケットを再送信する。上りリンク制御情報（ＵＣＩ）２９３は、チャネル状態情報（ＣＳＩ）２４１（例えば、ＣＱＩ／ＰＭＩ／ＰＴＩ／ＲＩ）を含む。
【００９９】
操作モジュール２９４は、再送信モジュール２９６およびスケジューリング・モジュール２９８を含む。再送信モジュール２９６は、上りリンク制御情報（ＵＣＩ）２９３に基づいて、（もしあれば）どのパケットを再送信すべきかを決定する。スケジューリング・モジュール２９８は、通信リソース（例えば、帯域幅、時間スロット、周波数チャネル、空間チャネルなど）をスケジュールするためにｅＮｏｄｅ  Ｂ２０２によって用いられる。スケジューリング・モジュール２９８は、端末装置（ＵＥ）２０４のための通信リソースをスケジュールすべきかどうか（およびいつすべきか）を決定するために、上りリンク制御情報（ＵＣＩ）２９３を用いる。
【０１００】
操作モジュール２９４は、エンコーダ２０５にデータ２０１を供給する。例えば、データ２０１は、再送信のためのパケット、および／または端末装置（ＵＥ）２０４に対するスケジューリング・グラントを含む。エンコーダ２０５は、データ２０１を符号化し、次にそれが送信機２１３に供給される。送信機２１３は、変調器２１５を用いて符号化データを変調する。送信機２１３は、１つ以上の物理アンテナ２９７ａ〜ｎによって実現される、１つ以上のアンテナポートを用いて変調データを端末装置（ＵＥ）２０４へ送信する。
【０１０１】
キャリアアグリゲーションが構成されているとき、端末装置（ＵＥ）２０４は、ネットワークと１つだけの無線リソース制御（ＲＲＣ）接続を有する。無線リソース制御（ＲＲＣ）接続の確立／再確立／ハンドオーバのときに、１つのサービングセル２８５（すなわち、プライマリセル（ＰＣｅｌｌ）２８５ａ）は、非アクセス層（ＮＡＳ：ｎｏｎ−ａｃｃｅｓｓ  ｓｔｒａｔｕｍ）モビリティ情報（例えば、トラッキングエリア識別子（ＴＡＩ：Ｔｒａｃｋｉｎｇ  Ａｒｅａ  Ｉｄｅｎｔｉｔｙ））およびセキュリティ入力を提供する。
【０１０２】
下りリンク１０８では、プライマリセル（ＰＣｅｌｌ）２８５ａに対応するコンポーネントキャリア（ＣＣ）２０８は、下りリンク・プライマリコンポーネントキャリア（ＤＬ  ＰＣＣ：ｄｏｗｎｌｉｎｋ  ｐｒｉｍａｒｙ  ｃｏｍｐｏｎｅｎｔ  ｃａｒｒｉｅｒ）２０８ａである。上りリンク１０６では、プライマリセル（ＰＣｅｌｌ）２８５ａに対応するコンポーネントキャリア（ＣＣ）２０６は、上りリンク・プライマリコンポーネントキャリア（ＵＬ  ＰＣＣ：ｕｐｌｉｎｋ  ｐｒｉｍａｒｙ  ｃｏｍｐｏｎｅｎｔ  ｃａｒｒｉｅｒ）２０６ａである。端末装置（ＵＥ）２０４のケイパビリティに依存して、プライマリセル（ＰＣｅｌｌ）２８５ａをもつサービングセルのセットを形成するために、１つ以上のセカンダリコンポーネントキャリア（ＳＣＣ：ｓｅｃｏｎｄａｒｙ  ｃｏｍｐｏｎｅｔ  ｃａｒｒｉｅｒ）２０６ｂ、２０８ｂまたはセカンダリセル（ＳＣｅｌｌ）２８５ｂが構成される。下りリンク１０８では、セカンダリセル（ＳＣｅｌｌ）２８５ｂに対応するコンポーネントキャリア（ＣＣ）２０８は、下りリンク・セカンダリコンポーネントキャリア（ＤＬ  ＳＣＣ：ｄｏｗｎｌｉｎｋ  ｓｅｃｏｎｄａｙ  ｃｏｍｐｏｎｅｎｔ  ｃａｒｒｉｅｒ）２０８ｂである。上りリンク１０６では、セカンダリセル（ＳＣｅｌｌ）２８５ｂに対応するコンポーネントキャリア（ＣＣ）２０６は、上りリンク・セカンダリコンポーネントキャリア（ＵＬ  ＳＣＣ：ｕｐｌｉｎｋ  ｓｅｃｏｎｄａｙ  ｃｏｍｐｏｎｅｎｔ  ｃａｒｒｉｅｒ）２０６ｂである。複数のセルが１つの上りリンク・コンポーネントキャリア（ＣＣ）２０６を共有するので、下りリンク・コンポーネントキャリア（ＣＣ）２０８の数は、上りリンク・コンポーネントキャリア（ＣＣ）２０６の数と異なってもよい。コンポーネントキャリア（ＣＣ）とは、セルが属するキャリア周波数である。
【０１０３】
キャリアアグリゲーションが構成されている場合、端末装置（ＵＥ）２０４は、複数のサービングセル、すなわち、プライマリセル（ＰＣｅｌｌ）２８５ａおよび１つ以上のセカンダリセル（ＳＣｅｌｌ）２８５ｂを有しうる。ネットワークの視点からは、セル２８５が１つの端末装置（ＵＥ）２０４によってプライマリセル（ＰＣｅｌｌ）２８５ａとして用いられ、（示されない）別の端末装置（ＵＥ）によってセカンダリセル（ＳＣｅｌｌ）２８５ｂとして用いられてもよい。キャリアアグリゲーションが構成されていない場合、プライマリセル（ＰＣｅｌｌ）２８５ａは、単一のサービングセル動作を行う。キャリアアグリゲーションが構成されている場合には、プライマリセル（ＰＣｅｌｌ）２８５ａに加えて、１つ以上のセカンダリセル（ＳＣｅｌｌ）２８５ｂがありうる。
【０１０４】
キャリアアグリゲーションを用いる１つの利益は、追加の下りリンク１０８および／または上りリンク１０６データが送信できることである。追加の下りリンク・データの結果として、追加の上りリンク制御情報（ＵＣＩ）２９３が必要とされる。
【０１０５】
送信機および受信機で複数のアンテナポートを用いることにより、多数の空間チャネルが各サービングセル上で利用可能である。それゆえに、複数の符号語（２つの符号語まで）を同時に送信することができる。
【０１０６】
キャリアアグリゲーションに関する周期的チャネル状態情報（ＣＳＩ）２４１（例えば、ＣＱＩ／ＰＭＩ／ＰＴＩ／ＲＩ）レポーティングでは、コンポーネントキャリア（ＣＣ）２０６、２０８またはセル２８５ごとに、レポートのための（時間的に）異なる物理上りリンク制御チャネル（ＰＵＣＣＨ）リソースの構成がサポートされる。
【０１０７】
チャネル状態情報（ＣＳＩ）レポート２３６は、コンポーネントキャリア（ＣＣ）２０６、２０８またはセル２８５ごとに生成される。リリース１０では、５つまでの下りリンク・コンポーネントキャリア（ＣＣ）２０８（またはセル２８５）に関して周期的チャネル状態情報（ＣＳＩ）２４１レポーティングがサポートされる。
【０１０８】
チャネル状態情報（ＣＳＩ）レポート２３６は、端末装置（ＵＥ）２０４での現在のチャネル状態に基づいて伝送速度（変調方式および符号化率）を動的に調整するように、ｅＮｏｄｅ  Ｂ２０２に通知するために用いられる。例えば、チャネル状態情報（ＣＳＩ）レポート２３６は、端末装置（ＵＥ）２０４での良好なチャネル品質を示しうる。ここで、ｅＮｏｄｅ  Ｂ２０２は、より高次の変調および符号化率を選択し、それによって、物理下りリンク共有チャネル（ＰＤＳＣＨ）上でのデータの下りリンク送信のためにより高い伝送速度を達成する。チャネル状態情報（ＣＳＩ）レポート２３６が端末装置（ＵＥ）２０４での不十分なチャネル品質を示す場合には、ｅＮｏｄｅ  Ｂ２０２は、より低次の変調および符号化率を選択し、それによって、送信のためにより高い信頼性を達成する。
【０１０９】
チャネル状態情報（ＣＳＩ）レポート２３６は、チャネル状態情報（ＣＳＩ）レポート２３６がランク指標（ＲＩ）だけを含む場合にはランク指標（ＲＩ）レポートと呼ばれる。チャネル状態情報（ＣＳＩ）レポート２３６は、チャネル状態情報（ＣＳＩ）レポート２３６がチャネル品質インジケータ（ＣＱＩ）だけを含む場合にはチャネル品質インジケータ（ＣＱＩ）レポートと呼ばれる。チャネル状態情報（ＣＳＩ）レポート２３６は、チャネル状態情報（ＣＳＩ）レポート２３６がプリコーディング・マトリックス・インジケータ（ＰＭＩ）だけを含む場合にはプリコーディング・マトリックス・インジケータ（ＰＭＩ）レポートと呼ばれる。チャネル状態情報（ＣＳＩ）レポート２３６は、チャネル状態情報（ＣＳＩ）レポート２３６がプリコーディング・タイプ・インジケータ（ＰＴＩ）だけを含む場合にはプリコーディング・タイプ・インジケータ（ＰＴＩ）レポートと呼ばれる。
【０１１０】
各チャネル状態情報（ＣＳＩ）レポート２３６は、物理上りリンク制御チャネル（ＰＵＣＣＨ）送信のための物理上りリンク制御チャネル（ＰＵＣＣＨ）レポーティング・タイプも含む。レポーティング・モードごとに、異なるレポーティング・タイプがある。チャネル状態情報（ＣＳＩ）選択モジュール２５７は、複数のチャネル状態情報（ＣＳＩ）レポート２３６を受信する。各チャネル状態情報（ＣＳＩ）レポート２３６は、サブフレームの間にｅＮｏｄｅ  Ｂ１０２へ送信されるようにスケジュールされている。従って、１つより多いチャネル状態情報（ＣＳＩ）レポート２３６が生成されるときには、チャネル状態情報（ＣＳＩ）レポート２３６が衝突することがある。
【０１１１】
チャネル状態情報（ＣＳＩ）レポート２３６が互いに衝突するときに、衝突は、チャネル状態情報（ＣＳＩ）レポート２３６に優先度を付けることによって解決される。優先度付けは、リリース１０で定義されるような内容（またはタイプ）に基づくこと、集約されたＣＳＩレポーティングをサポートし、定義することになる新しいタイプによる内容／タイプに基づくこと、ＣＳＩ−ＲＳインデックス、周期、アンテナポートの数などを含むＣＳＩ−ＲＳリソースに基づくこと、および／または、リリース１０で定義されるような、サービングセル・インデックスに基づくことができる。
【０１１２】
３ＧＰＰリリース１０仕様では、表２に示されるような優先度付けメカニズムが用いられる。
【０１１３】
【表２】
2015511777.tif 000004
【０１１４】
ＰＵＣＣＨレポーティング・タイプ｛１｝をもつレポートは、ＵＥ選択されたサブバンドに関するチャネル品質インジケータ（ＣＱＩ）フィードバックをサポートする。ＰＵＣＣＨレポーティング・タイプ｛１ａ｝をもつレポートは、サブバンド・チャネル品質インジケータ（ＣＱＩ）および第２のプリコーディング・マトリックス・インジケータ（ＰＭＩ）フィードバックをサポートする。ＰＵＣＣＨレポーティング・タイプ｛２｝、ＰＵＣＣＨレポーティング・タイプ｛２ｂ｝またはＰＵＣＣＨレポーティング・タイプ｛２ｃ｝をもつレポートは、広帯域チャネル品質インジケータ（ＣＱＩ）およびプリコーディング・マトリックス・インジケータ（ＰＭＩ）フィードバックをサポートする。ＰＵＣＣＨレポーティング・タイプ｛２ａ｝をもつレポートは、広帯域プリコーディング・マトリックス・インジケータ（ＰＭＩ）フィードバックをサポートする。ＰＵＣＣＨレポーティング・タイプ｛３｝をもつレポートは、ランク指標（ＲＩ）フィードバックをサポートする。ＰＵＣＣＨレポーティング・タイプ｛４｝をもつレポートは、広帯域チャネル品質インジケータ（ＣＱＩ）フィードバックをサポートする。ＰＵＣＣＨレポーティング・タイプ｛５｝をもつレポートは、ランク指標（ＲＩ）および広帯域プリコーディング・マトリックス・インジケータ（ＰＭＩ）フィードバックをサポートする。ＰＵＣＣＨレポーティング・タイプ｛６｝をもつレポートは、ランク指標（ＲＩ）およびプリコーダ・タイプ指標（ＰＴＩ）フィードバックをサポートする。
【０１１５】
一構成において、１つのサービングセルのＰＵＣＣＨレポーティング・タイプ｛３｝、｛５｝または｛６｝をもつチャネル状態情報（ＣＳＩ）レポート２３６と、同じサービングセルのＰＵＣＣＨレポーティング・タイプ｛１｝、｛１ａ｝、｛２｝、｛２ａ｝、｛２ｂ｝、｛２ｃ｝または｛４｝をもつチャネル状態情報（ＣＳＩ）レポート２３６との間の衝突が生じるときに、ＰＵＣＣＨレポーティング・タイプ（タイプ｛１｝、｛１ａ｝、｛２｝、｛２ａ｝、｛２ｂ｝、｛２ｃ｝または｛４｝）をもつ後者のチャネル状態情報（ＣＳＩ）レポート２３６は、低い方の優先度を有し、落とされる。言い換えれば、タイプ（タイプ｛３｝、｛５｝または｛６｝）にＲＩを含むチャネル状態情報（ＣＳＩ）レポート２３６は、タイプにＲＩを含まないチャネル状態情報（ＣＳＩ）レポート２３６より優先される。
【０１１６】
別の構成では、端末装置（ＵＥ）２０４が１つより多いサービングセルで構成されている場合、端末装置（ＵＥ）２０４は、いずれのサブフレームでも１つだけのサービングセルのチャネル状態情報（ＣＳＩ）レポート２３６を送信する。所与のサブフレームに関して、１つのサービングセルのＰＵＣＣＨレポーティング・タイプ｛２ａ｝、｛３｝、｛５｝または｛６｝をもつチャネル状態情報（ＣＳＩ）レポート２３６の、別のサービングセルのＰＵＣＣＨレポーティング・タイプ｛１｝、｛１ａ｝、｛２ａ｝、｛２ｂ｝、｛２ｃ｝または｛４｝をもつチャネル状態情報（ＣＳＩ）レポート２３６との衝突の場合には、ＰＵＣＣＨレポーティング・タイプ（タイプ｛１｝、｛１ａ｝、｛２ａ｝、｛２ｂ｝、｛２ｃ｝または｛４｝）をもつ後者のＣＳＩは、低い方の優先度を有し、落とされる。
【０１１７】
別の構成では、所与のサブフレームに関して、１つのサービングセルのＰＵＣＣＨレポーティング・タイプ｛２｝、｛２ｂ｝、｛２ｃ｝または｛４｝をもつチャネル状態情報（ＣＳＩ）レポート２３６と、別のサービングセルのＰＵＣＣＨレポーティング・タイプ｛１｝または｛１ａ｝をもつチャネル状態情報（ＣＳＩ）レポート２３６との間の衝突が生じる場合には、ＰＵＣＣＨレポーティング・タイプ｛１｝または｛１ａ｝をもつ後者のチャネル状態情報（ＣＳＩ）レポート２３６は、低い方の優先度を有し、落とされる。
【０１１８】
さらに別の構成では、所与のサブフレームに関して、同じ優先度のＰＵＣＣＨレポーティング・タイプをもつ異なるサービングセルのチャネル状態情報（ＣＳＩ）レポート２３６間の衝突が生じる場合には、低い方か、または最も低いサービングセル・インデックス（すなわち、ＳｅｒｖＣｅｌｌＩｎｄｅｘ）をもつサービングセルのチャネル状態情報（ＣＳＩ）レポート２３６がレポートされ、すべての他のサービングセルのチャネル状態情報（ＣＳＩ）レポート２３６は落とされる。
【０１１９】
複数のＣＳＩ−ＲＳおよび集約されたＣＳＩに適応するためにＰＵＣＣＨレポーティング・タイプの変形形態を利用できる。例えば、下の表３は、複数のＣＳＩ−ＲＳおよび集約されたＣＳＩに適応するために新しいタイプに用いられる一例を示す。下の表３は、ＩＮＴＥＲ−ＣＳＩ−ＲＳ−ＰＨＡＳＥおよびＩＮＴＥＲ−ＣＳＩ−ＲＳ−ＡＭＰＬＩＴＵＤＥタイプがどのようにレポートされるかも示す。多くの他の変形形態も用いることができる。
【０１２０】
表３は、Ｆｉｒｓｔ−ＲＳ、Ｓｅｃｏｎｄ−ＲＳおよび／またはＡｇｇｒｅｇａｔｅｄ−ＲＳレポートを可能にするＰＵＣＣＨレポーティング・タイプ（または内容）も示す。加えて、Ａｇｇｒｅｇａｔｅｄ−ＲＳは、集約されたチャネル状態情報（ＣＳＩ）レポート２３６に関する構成および／または測定結果を含む。
【０１２１】
Ｓｅｃｏｎｄ−ＲＳおよび／またはＡｇｇｒｅｇａｔｅｄ−ＲＳの導入により、これらのタイプに適応するために、新しいタイプ（または内容）に基づく優先度付け手法が追加される必要がある。さらにまた、追加のサービングセルの導入に伴い、かつサービングセル当り１つのレポートしかないので、各チャネル状態情報（ＣＳＩ）レポート２３６の内容（またはタイプ）は、そのレポートがＣＳＩ−ＲＳ（すなわち、Ｆｉｒｓｔ−ＲＳおよびＳｅｃｏｎｄ−ＲＳ）に関係することを特定すべきである。代わりに、チャネル状態情報（ＣＳＩ）レポート２３６は、チャネル状態情報（ＣＳＩ）レポート２３６が集約されたＣＳＩであるかどうかを特定すべきである。表３では、現在のタイプへの修正が太字で示される。
【０１２２】
【表３】
2015511777.tif 000005
【０１２３】
ＰＵＣＣＨレポーティング・タイプ｛１｝をもつレポートは、Ｆｉｒｓｔ−ＲＳ  ＵＥ選択サブバンドに関するチャネル品質インジケータ（ＣＱＩ）フィードバックをサポートする。ＰＵＣＣＨレポーティング・タイプ｛１ａ｝をもつレポートは、Ｆｉｒｓｔ−ＲＳサブバンド・チャネル品質インジケータ（ＣＱＩ）およびＦｉｒｓｔ−ＲＳ第２プリコーディング・マトリックス・インジケータ（ＰＭＩ）フィードバックをサポートする。ＰＵＣＣＨレポーティング・タイプ｛１ｂ’｝をもつレポートは、Ｓｅｃｏｎｄ−ＲＳ  ＵＥ選択サブバンドに関するチャネル品質インジケータ（ＣＱＩ）フィードバックをサポートする。ＰＵＣＣＨレポーティング・タイプ｛１ｃ’｝をもつレポートは、Ｓｅｃｏｎｄ−ＲＳサブバンド・チャネル品質インジケータ（ＣＱＩ）およびＳｅｃｏｎｄ−ＲＳ第２プリコーディング・マトリックス・インジケータ（ＰＭＩ）フィードバックをサポートする。ＰＵＣＣＨレポーティング・タイプ｛１ｄ’｝をもつレポートは、Ａｇｇｒｅｇａｔｅｄ−ＲＳ  ＵＥ選択サブバンドに関するチャネル品質インジケータ（ＣＱＩ）フィードバックをサポートする。ＰＵＣＣＨレポーティング・タイプ｛１ｅ’｝をもつレポートは、Ａｇｇｒｅｇａｔｅｄ−ＲＳサブバンド・チャネル品質インジケータ（ＣＱＩ）およびＡｇｇｒｅｇａｔｅｄ−ＲＳ第２プリコーディング・マトリックス・インジケータ（ＰＭＩ）フィードバックをサポートする。
【０１２４】
ＰＵＣＣＨレポーティング・タイプ｛２｝をもつレポートは、Ｆｉｒｓｔ−ＲＳ広帯域チャネル品質インジケータ（ＣＱＩ）およびプリコーディング・マトリックス・インジケータ（ＰＭＩ）フィードバックをサポートする。ＰＵＣＣＨレポーティング・タイプ｛２ａ｝をもつレポートは、Ｆｉｒｓｔ−ＲＳ広帯域第１プリコーディング・マトリックス・インジケータ（ＰＭＩ）フィードバックをサポートする。ＰＵＣＣＨレポーティング・タイプ｛２ｂ｝またはＰＵＣＣＨレポーティング・タイプ｛２ｃ｝をもつレポートは、Ｆｉｒｓｔ−ＲＳ広帯域チャネル品質インジケータ（ＣＱＩ）およびＦｉｒｓｔ−ＲＳ第２プリコーディング・マトリックス・インジケータ（ＰＭＩ）フィードバックをサポートする。ＰＵＣＣＨレポーティング・タイプ｛２ｃ｝をもつレポートは、Ｆｉｒｓｔ−ＲＳ第１プリコーディング・マトリックス・インジケータ（ＰＭＩ）フィードバックもサポートする。ＰＵＣＣＨレポーティング・タイプ｛２ｄ’｝をもつレポートは、Ｓｅｃｏｎｄ−ＲＳ広帯域プリコーディング・マトリックス・インジケータ（ＰＭＩ）フィードバックをサポートする。ＰＵＣＣＨレポーティング・タイプ｛２ｅ’｝をもつレポートは、Ａｇｇｒｅｇａｔｅｄ−ＲＳ広帯域プリコーディング・マトリックス・インジケータ（ＰＭＩ）フィードバックをサポートする。ＰＵＣＣＨレポーティング・タイプ｛２ｆ’｝をもつレポートは、Ｆｉｒｓｔ−ＲＳ広帯域プリコーディング・マトリックス・インジケータ（ＰＭＩ）およびＳｅｃｏｎｄ−ＲＳ広帯域プリコーディング・マトリックス・インジケータ（ＰＭＩ）フィードバックをサポートする。
【０１２５】
ＰＵＣＣＨレポーティング・タイプ｛３｝をもつレポートは、Ｆｉｒｓｔ−ＲＳランク指標（ＲＩ）フィードバックをサポートする。ＰＵＣＣＨレポーティング・タイプ｛３ａ’｝をもつレポートは、Ｓｅｃｏｎｄ−ＲＳランク指標（ＲＩ）フィードバックをサポートする。ＰＵＣＣＨレポーティング・タイプ｛３ｂ’｝をもつレポートは、Ａｇｇｒｅｇａｔｅｄ−ＲＳランク指標（ＲＩ）フィードバックをサポートする。ＰＵＣＣＨレポーティング・タイプ｛３ｃ’｝をもつレポートは、Ｆｉｒｓｔ−ＲＳランク指標（ＲＩ）フィードバック、Ｓｅｃｏｎｄ−ＲＳランク指標（ＲＩ）およびＡｇｇｒｅｇａｔｅｄ−ＲＳランク指標（ＲＩ）フィードバックをサポートする。
【０１２６】
ＰＵＣＣＨレポーティング・タイプ｛４｝をもつレポートは、Ｆｉｒｓｔ−ＲＳ広帯域チャネル品質インジケータ（ＣＱＩ）フィードバックをサポートする。ＰＵＣＣＨレポーティング・タイプ｛４ａ’｝をもつレポートは、Ｓｅｃｏｎｄ−ＲＳ広帯域チャネル品質インジケータ（ＣＱＩ）フィードバックをサポートする。ＰＵＣＣＨレポーティング・タイプ｛４ｂ’｝をもつレポートは、Ａｇｇｒｅｇａｔｅｄ−ＲＳ広帯域チャネル品質インジケータ（ＣＱＩ）フィードバックをサポートする。ＰＵＣＣＨレポーティング・タイプ｛４ｃ’｝をもつレポートは、Ｆｉｒｓｔ−ＲＳ広帯域チャネル品質インジケータ（ＣＱＩ）、Ｓｅｃｏｎｄ−ＲＳ広帯域チャネル品質インジケータ（ＣＱＩ）およびＡｇｇｒｅｇａｔｅｄ−ＲＳ広帯域チャネル品質インジケータ（ＣＱＩ）フィードバックをサポートする。
【０１２７】
ＰＵＣＣＨレポーティング・タイプ｛５｝をもつレポートは、Ｆｉｒｓｔ−ＲＳランク指標（ＲＩ）およびＦｉｒｓｔ−ＲＳ広帯域プリコーディング・マトリックス・インジケータ（ＰＭＩ）フィードバックをサポートする。ＰＵＣＣＨレポーティング・タイプ｛５ａ’｝をもつレポートは、Ｓｅｃｏｎｄ−ＲＳランク指標（ＲＩ）およびＳｅｃｏｎｄ−ＲＳ広帯域プリコーディング・マトリックス・インジケータ（ＰＭＩ）フィードバックをサポートする。ＰＵＣＣＨレポーティング・タイプ｛５ｂ’｝をもつレポートは、Ａｇｇｒｅｇａｔｅｄ−ＲＳランク指標（ＲＩ）およびＡｇｇｒｅｇａｔｅｄ−ＲＳ広帯域プリコーディング・マトリックス・インジケータ（ＰＭＩ）フィードバックをサポートする。ＰＵＣＣＨレポーティング・タイプ｛５ｃ’｝をもつレポートは、Ｆｉｒｓｔ−ＲＳランク指標（ＲＩ）、Ｆｉｒｓｔ−ＲＳ第１広帯域プリコーディング・マトリックス・インジケータ（ＰＭＩ）、Ｓｅｃｏｎｄ−ＲＳランク指標（ＲＩ）およびＳｅｃｏｎｄ−ＲＳ第１広帯域プリコーディング・マトリックス・インジケータ（ＰＭＩ）フィードバックをサポートする。
【０１２８】
ＰＵＣＣＨレポーティング・タイプ｛６｝をもつレポートは、Ｆｉｒｓｔ−ＲＳランク指標（ＲＩ）およびＦｉｒｓｔ−ＲＳプリコーダ・タイプ指標（ＰＴＩ）フィードバックをサポートする。ＰＵＣＣＨレポーティング・タイプ｛６ａ’｝をもつレポートは、Ｓｅｃｏｎｄ−ＲＳランク指標（ＲＩ）およびＳｅｃｏｎｄ−ＲＳプリコーダ・タイプ指標（ＰＴＩ）フィードバックをサポートする。ＰＵＣＣＨレポーティング・タイプ｛６ｂ’｝をもつレポートは、Ａｇｇｒｅｇａｔｅｄ−ＲＳランク指標（ＲＩ）およびＡｇｇｒｅｇａｔｅｄ−ＲＳプリコーダ・タイプ指標（ＰＴＩ）フィードバックをサポートする。ＰＵＣＣＨレポーティング・タイプ｛６ｃ’｝をもつレポートは、Ｆｉｒｓｔ−ＲＳランク指標（ＲＩ）、Ｆｉｒｓｔ−ＲＳプリコーダ・タイプ指標（ＰＴＩ）、Ｓｅｃｏｎｄ−ＲＳランク指標（ＲＩ）およびＳｅｃｏｎｄ−ＲＳプリコーダ・タイプ指標（ＰＴＩ）フィードバックをサポートする。
【０１２９】
ＰＵＣＣＨレポーティング・タイプ｛７｝をもつレポートは、Ａｇｇｒｅｇａｔｅｄ広帯域ＣＱＩおよびＩＮＴＥＲ−ＣＳＩ−ＲＳ−ＰＨＡＳＥフィードバックをサポートする。ＰＵＣＣＨレポーティング・タイプ｛７ａ｝をもつレポートは、ＡｇｇｒｅｇａｔｅｄサブバンドＣＱＩおよびＩＮＴＥＲ−ＣＳＩ−ＲＳ−ＰＨＡＳＥフィードバックをサポートする。ＰＵＣＣＨレポーティング・タイプ｛７ｂ｝をもつレポートは、Ｆｉｒｓｔ−ＲＳ広帯域ＣＱＩおよびＩＮＴＥＲ−ＣＳＩ−ＲＳ−ＰＨＡＳＥフィードバックをサポートする。ＰＵＣＣＨレポーティング・タイプ｛７ｃ｝をもつレポートは、Ｓｅｃｏｎｄ−ＲＳ広帯域ＣＱＩおよびＩＮＴＥＲ−ＣＳＩ−ＲＳ−ＰＨＡＳＥフィードバックをサポートする。
【０１３０】
ＰＵＣＣＨレポーティング・タイプ｛８｝をもつレポートは、Ａｇｇｒｅｇａｔｅｄ  ＰＭＩおよびＩＮＴＥＲ−ＣＳＩ−ＲＳ−ＡＭＰＬＩＴＵＤＥフィードバックをサポートする。ＰＵＣＣＨレポーティング・タイプ｛８ａ｝をもつレポートは、Ａｇｇｒｅｇａｔｅｄ広帯域ＰＭＩおよびＩＮＴＥＲ−ＣＳＩ−ＲＳ−ＡＭＰＬＩＴＵＤＥフィードバックをサポートする。ＰＵＣＣＨレポーティング・タイプ｛８ｂ｝をもつレポートは、Ｆｉｒｓｔ−ＲＳ広帯域ＰＭＩおよびＩＮＴＥＲ−ＣＳＩ−ＲＳ−ＡＭＰＬＩＴＵＤＥフィードバックをサポートする。ＰＵＣＣＨレポーティング・タイプ｛８ｃ｝をもつレポートは、Ｓｅｃｏｎｄ−ＲＳ広帯域ＰＭＩおよびＩＮＴＥＲ−ＣＳＩ−ＲＳ−ＡＭＰＬＩＴＵＤＥフィードバックをサポートする。
【０１３１】
図４は、端末装置（ＵＥ）１０４のサービングセルにおけるＣＳＩ−ＲＳリソース、測定結果およびレポーティングの別の構成を示すブロックダイアグラムである。図４のコンポーネントキャリア（ＣＣ）４０１、ＣＳＩ−ＲＳ１−１  ４０３、ＣＳＩ−ＲＳ１−２  ４０５、ＣＳＩ−ＲＳ１−１  ４０７、ＣＳＩ−ＲＳ１−２  ４０９、ＣＳＩ測定結果１−１  ４１５、集約ＣＳＩ測定結果４１７、ＣＳＩ測定結果１−２  ４１９、チャネル状態情報（ＣＳＩ）１−１  ４２１、チャネル状態情報（ＣＳＩ）Ａｇｇ−１  ４２３、チャネル状態情報（ＣＳＩ）１−２  ４２５、単一セル衝突解決モジュール４５３、チャネル状態情報（ＣＳＩ）最高レポート４５５およびマルチセル解決モジュール４５７は、図２の同様の構成要素１０１、１０３、１０５、１０７、１０９、１１５、１１７、１１９、１２１、１２３、１２５、１５３、１５５および１５７に対応する。加えて、図４のチャネル状態情報（ＣＳＩ）レポート生成器１−１  ４２９ａ、チャネル状態情報（ＣＳＩ）レポート生成器２−１  ４２９ｂ、チャネル状態情報（ＣＳＩ）レポート生成器１−２  ４３３ａおよびチャネル状態情報（ＣＳＩ）レポート生成器２−２  ４２９ｂは、図２のチャネル状態情報（ＣＳＩ）レポート生成器１−１  １２９ａに対応する。さらにまた、ＣＳＩレポート構成１−１  ４２７ａ、ＣＳＩレポート構成２−１  ４２７ｂ、ＣＳＩレポート構成１−２  ４３１ａおよびＣＳＩレポート構成２−２  ４３１ａは、図２のＣＳＩレポート構成１  １２７に対応する。
【０１３２】
一構成において、端末装置（ＵＥ）１０４は、各ＣＳＩ−ＲＳ（例えば、ＣＳＩ−ＲＳ１−１  ４０７ａおよびＣＳＩ−ＲＳ１−２  ４０９ａ）に対応するコンポーネントキャリア（ＣＣ）４０１ａごとに複数のチャネル状態情報（ＣＳＩ）レポート生成器１−１  ４２９ａおよび１−２  ４３３ａを利用する。各チャネル状態情報（ＣＳＩ）レポート生成器４２９ａおよび４３３ａは、それぞれ対応するＣＳＩレポート構成４２７ａおよび４３１ａを有する。例えば、チャネル状態情報（ＣＳＩ）レポート生成器１−１  ４２９ａは、ＣＳＩレポート構成１−１  ４２７ａから命令を受ける。
【０１３３】
チャネル状態情報（ＣＳＩ）レポート生成器１−１  ４２９ａは、チャネル状態情報（ＣＳＩ）レポート（例えば、Ｒ１−１−１  ４３９ａ、Ｒ１−１−２  ４４１ａ、Ｒ１−１−３  ４４３ａ）を生成する。チャネル状態情報（ＣＳＩ）レポート（例えば、Ｒ１−１−１  ４３９ａ、Ｒ１−１−２  ４４１ａ、Ｒ１−１−３  ４４３ａ）は、Ｒｘ−ｙ−ｚフォーマット状であり、ここでｘはサービングセル・インデックスであり、ｙはＣＳＩレポート構成インデックスであり、ｚはレポート・インデックスである。従って、ｚは、サブフレームで生成されるレポートの番号を記載する。例えば、Ｒ１−１−３は、第１のサービングセルの第１のＣＳＩ−ＲＳに対応して生成される第３のレポートを指す。第１のレポートＲ１−１−１  ４３９ａは、ＣＳＩ−ＲＳ１−１  ４０７ａに対応する。第２のレポートＲ１−１−１  ４４１ａは、ＣＳＩ−ＲＳ１−２  ４０９ａに対応する。第３レポートＲ１−１−３  ４４３ａは、随意的であり、ＣＳＩ−ＲＳ１−１  ４０７ａおよびＣＳＩ−ＲＳ１−２  ４０９ａまたはそれらのサブセットの集約に対応する。集約チャネル状態情報（ＣＳＩ）についてレポートするために、集約チャネル状態情報（ＣＳＩ）４２３ａは、チャネル状態情報（ＣＳＩ）レポート生成器１−１  ４２９ａおよびチャネル状態情報（ＣＳＩ）レポート生成器１−２  ４３３ａの両方へ送られる。
【０１３４】
チャネル状態情報（ＣＳＩ）レポート生成器１−１  ４２９ａと同様に、チャネル状態情報（ＣＳＩ）レポート生成器１−２  ４３３ａは、チャネル状態情報（ＣＳＩ）レポート（例えば、Ｒ１−２−１  ４４９ａおよびＲ１−２−２  ４５１ａ）を単一セル衝突解決モジュール４５３ａへ送る。
【０１３５】
図５は、端末装置（ＵＥ）１０４サービングセルにおけるＣＳＩ−ＲＳリソース、測定結果およびレポーティングのさらに別の構成を示すブロックダイアグラムである。図５のコンポーネントキャリア（ＣＣ）５０１、ＣＳＩ−ＲＳ１−１  ５０３、ＣＳＩ−ＲＳ１−２  ５０５、ＣＳＩ−ＲＳ１−１  ５０７、ＣＳＩ−ＲＳ１−２  ５０９、ＣＳＩ測定結果１−１  ５１５、集約ＣＳＩ測定結果５１７、ＣＳＩ測定結果１−２  ５１９、チャネル状態情報（ＣＳＩ）１−１  ５２１、チャネル状態情報（ＣＳＩ）Ａｇｇｒｅｇａｔｅ５２３、チャネル状態情報（ＣＳＩ）１−２  ５２５、単一セル衝突解決モジュール５５３、チャネル状態情報（ＣＳＩ）最高レポート５５５およびマルチセル解決モジュール５５７は、図２の同様の構成要素１０１、１０３、１０５、１０７、１０９、１１５、１１７、１１９、１２１、１２３、１２５、１５３、１５５および１５７に対応する。加えて、図５のチャネル状態情報（ＣＳＩ）レポート生成器１−１  ５２９ａ、チャネル状態情報（ＣＳＩ）レポート生成器２−１  ５２９ｂ、チャネル状態情報（ＣＳＩ）レポート生成器１−２  ５３３ａ、チャネル状態情報（ＣＳＩ）レポート生成器２−２  ５２９ｂ、ＣＳＩレポート構成１−１  ５２７ａ、ＣＳＩレポート構成２−１  ５２７ｂ、ＣＳＩレポート構成１−２  ５３１ａ、ＣＳＩレポート構成２−２  ５３１ａならびにチャネル状態情報（ＣＳＩ）レポートＲ１−１−１  ５３９、Ｒ１−１−２  ５４１、Ｒ１−１−３  ５４３、Ｒ１−２−１  ５４９およびＲ１−２−２  ５５１は、図４に関連して記載される同様の構成要素４２９ａ、４２９ｂ、４３３ａ、４３３ｂ、４２７ａ、４２７ｂ、４３１ａ、４３１ｂ、４３９、４４１、４４３、４４９および４５１に対応する。
【０１３６】
一構成において、端末装置（ＵＥ）１０４は、コンポーネントキャリア（ＣＣ）５０１ａのために追加の集約チャネル状態情報（ＣＳＩ）レポート生成器５２９ａを利用する。集約チャネル状態情報（ＣＳＩ）レポート生成器５２９ａは、集約ＣＳＩレポート構成５３５ａから指示を受信する。集約チャネル状態情報（ＣＳＩ）レポート生成器５２９ａは、集約チャネル状態情報（ＣＳＩ）レポートＲ１−Ａｇｇ−１  ５４５ａ、Ｒ１−Ａｇｇ−２  ５４７ａを生成し、集約チャネル状態情報（ＣＳＩ）レポートＲ１−Ａｇｇ−１  ５４５ａ、Ｒ１−Ａｇｇ−２  ５４７ａを単一セル衝突解決モジュール５５３ａへ送る。
【０１３７】
先に考察されたように、集約されたＣＱＩ、ＰＭＩ、ＰＴＩ、および／またはＲＩの送信のために新しいチャネル状態情報（ＣＳＩ）レポート２３６が構成される。一構成において、Ｆｉｒｓｔ−ＲＳ５０７ａおよびＳｅｃｏｎｄ−ＲＳ５０９ａの集約測定結果５１７ａは、Ａｇｇｒｅｇａｔｅ−ＲＳ測定結果５２３ａとして、チャネル状態情報（ＣＳＩ）レポートＲ１−Ａｇｇ−１  ５４５ａで、Ｆｉｒｓｔ−ＲＳ  Ｒ１−１−１  ５３９ａおよびＳｅｃｏｎｄ−ＲＳ  Ｒ１−２−１  ５４９ａとは独立して送信される。この場合、ＩＮＴＥＲ−ＣＳＩ−ＲＳ−ＡＭＰＬＩＴＵＤＥおよびＩＮＴＥＲ−ＣＳＩ−ＲＳ−ＰＨＡＳＥ測定結果は、各ＣＳＩ−ＲＳと関連付けられたレポートで運ばれる。別の構成では、ＩＮＴＥＲ−ＣＳＩ−ＲＳ−ＡＭＰＬＩＴＵＤＥおよびＩＮＴＥＲ−ＣＳＩ−ＲＳ−ＰＨＡＳＥは、集約されたＣＳＩ測定結果５２３ａと関連付けられた新しいチャネル状態情報（ＣＳＩ）レポートＲ１−２−２  ５５１ａによって運ばれてもよい。
【０１３８】
図６は、端末装置（ＵＥ）３０４からｅＮｏｄｅ  Ｂ３０２へのサブフレームの間の送信を示すブロックダイアグラムである。端末装置（ＵＥ）３０４は、物理上りリンク制御チャネル（ＰＵＣＣＨ）信号３３８によって物理上りリンク制御チャネル（ＰＵＣＣＨ）シンボル３２４をｅＮｏｄｅ  Ｂ３０２へ送信する。
【０１３９】
物理上りリンク制御チャネル（ＰＵＣＣＨ）シンボル３２４は、上りリンク制御情報（ＵＣＩ）３２８を含む。上りリンク制御情報（ＵＣＩ）３２８は、最優先周期的チャネル状態情報（ＣＳＩ）レポート３３６を含む。チャネル状態情報（ＣＳＩ）レポート３３６は、それぞれの下りリンク・コンポーネントキャリア（ＣＣ）２０８のチャネル状態情報（ＣＳＩ）に関連している。物理上りリンク制御チャネル（ＰＵＣＣＨ）は、１つのチャネル状態情報（ＣＳＩ）レポート３３６しか含むことができないので、物理上りリンク制御チャネル（ＰＵＣＣＨ）シンボルは、最優先チャネル状態情報（ＣＳＩ）レポート２５１だけを含んでよい。チャネル状態情報（ＣＳＩ）レポート３３６は、チャネル品質インジケータ（ＣＱＩ）３３０、プリコーディング・マトリックス・インジケータ（ＰＭＩ）３３２および／またはランク指標（ＲＩ）３３４を含む。チャネル品質インジケータ（ＣＱＩ）３３０は、変調および符号化率を示す。プリコーディング・マトリックス・インジケータ（ＰＭＩ）３３２は、複数入力および複数出力（ＭＩＭＯ）を用いたプリコーディングのためのコードブックを示す。ランク指標（ＲＩ）３３４は、複数入力および複数出力（ＭＩＭＯ）送信に有用な送信レイヤの番号である。
【０１４０】
ＣＱＩ、ＰＭＩおよびＲＩは、周期的チャネル状態情報（ＣＳＩ）レポート３３６でレポートされる。周波数選択スケジューリング・モードからの最優先チャネル品質インジケータ（ＣＱＩ）レポートは、チャネル状態情報（ＣＳＩ）レポート３３６として物理上りリンク制御チャネル（ＰＵＣＣＨ）上で送信される。周波数非選択スケジューリング・モードからの周期的チャネル状態情報（ＣＳＩ）レポート３３６も、物理上りリンク制御チャネル（ＰＵＣＣＨ）上で送信される。言い換えれば、周波数非選択スケジューリング・モードでは、周期的チャネル品質インジケータ（ＣＱＩ）フィードバックだけが必要である。
【０１４１】
リリース８／９では、端末装置（ＵＥ）３０４のために１つだけのコンポーネントキャリア（ＣＣ）２０８（またはセル２８５）が割り当てられる。従って、１つだけの周期的チャネル状態情報（ＣＳＩ）レポート３３６が生成される（すなわち、セル２８５当り１つのコンポーネントキャリア（ＣＣ）２０８に関してＣＱＩおよび／またはＰＭＩおよび／またはＲＩがレポートされる）。
【０１４２】
リリース１０およびそれ以降では、端末装置（ＵＥ）３０４のために複数のコンポーネントキャリア（ＣＣ）２０８（またはセル２８５）が構成される。従って、単一のコンポーネントキャリア（ＣＣ）２０８（またはセル２８５）に対応する複数の周期的チャネル状態情報（ＣＳＩ）レポート３３６が、同じサブフレームで衝突することがある（すなわち、複数の周期的チャネル状態情報（ＣＳＩ）レポート３３６が、それらが同じサブフレームで送信されるよう強いるであろうスケジュールを有することがある）。
【０１４３】
リリース１０またはＬＴＥアドバンスト（ＬＴＥ−Ａ）における複数のコンポーネントキャリア（ＣＣ）２０８（またはセル２８５）の導入に伴い、それぞれのコンポーネントキャリア（ＣＣ）２０８（またはセル２８５）についてチャネル状態情報（ＣＳＩ）レポート３３６を報告する必要があるので、レポートする必要があるチャネル状態情報（ＣＳＩ）量は、著しく増加しうる。しかしながら、物理上りリンク制御チャネル（ＰＵＣＣＨ）は、１つのコンポーネントキャリア（ＣＣ）２０８（またはセル２８５）に対して１つのチャネル状態情報（ＣＳＩ）レポート３３６の送信をサポートできるに過ぎない。従って、最優先チャネル状態情報（ＣＳＩ）レポート２５１は、物理上りリンク制御チャネル（ＰＵＣＣＨ）上で運ばれ、一方で残っている周期的チャネル状態情報（ＣＳＩ）レポート３３６は落とされる。異なるタイプの上りリンク制御情報（ＵＣＩ）３２８の優先度は、ｅＮｏｄｅ  Ｂ３０２によって、または所定のルールによって与えられる。本明細書では所定のルールのいくつかが開示される。
【０１４４】
各コンポーネントキャリア（ＣＣ）２０８（またはセル２８５）のチャネル状態情報（ＣＳＩ）（例えば、ＣＱＩ／ＰＭＩ／ＰＴＩ／ＲＩ）２４１は、上位レイヤ２１８シグナリングにより周期的に物理上りリンク制御チャネル（ＰＵＣＣＨ）上にスケジュールされる。ｅＮｏｄｅ  Ｂ３０２は、周期的チャネル状態情報（ＣＳＩ）レポーティングを要求できる。周期的チャネル状態情報（ＣＳＩ）３３６は、周期的レポーティング・スケジュールを有する。ｅＮｏｄｅ  Ｂ１０２は、ＣＳＩ２４１の送信を要求することもできる。かかる要求は、物理下りリンク制御チャネル（ＰＤＣＣＨ）を通じてなされる。物理上りリンク制御チャネル（ＰＵＣＣＨ）シンボル３２４は、プライマリセル（ＰＣｅｌｌ）２８５ａ上でのみ送られる。
【０１４５】
物理上りリンク制御チャネル（ＰＵＣＣＨ）シンボル３２４は、物理上りリンク制御チャネル（ＰＵＣＣＨ）シンボル３２４を送信するフォーマット３２６をさらに含む。例えば、物理上りリンク制御チャネル（ＰＵＣＣＨ）シンボル３２４は、フォーマット１／１ａ／１ｂ、フォーマット２／２ａ／２ｂ、フォーマット３／３ａ／３ｂ、またはその他の新しいフォーマットを用いて送信される。本明細書では、フォーマット１／１ａ／１ｂは、フォーマット１および／またはフォーマット１ａおよび／またはフォーマット１ｂを表す。加えて、本明細書では、フォーマット２／２ａ／２ｂは、フォーマット２および／またはフォーマット２ａおよび／またはフォーマット２ｂを表す。本明細書では、フォーマット３／３ａ／３ｂは、フォーマット３および／またはフォーマット３ａおよび／またはフォーマット３ｂを表す。
【０１４６】
物理上りリンク制御チャネル（ＰＵＣＣＨ）シンボル３２４は、物理上りリンク制御チャネル（ＰＵＣＣＨ）リソース３３７も含む。周期的ＣＳＩ２４１のための物理上りリンク制御チャネル（ＰＵＣＣＨ）リソース３３７は、フォーマット２／２ａ／２ｂを用いる上位レイヤ２１８によって周期的に予め割り当てられる。リリース１０または将来リリースでは、フォーマット３／３ａ／３ｂを用いて周期的ＣＱＩ／ＰＭＩ／ＰＴＩ／ＲＩを送信することが可能であろう。
【０１４７】
単一のコンポーネントキャリア（ＣＣ）２０８（またはセル２８５）からの複数チャネル状態情報（ＣＳＩ）レポート３３６が同じサブフレームでレポートされるようにスケジュールされているときに、これは衝突と呼ばれる。衝突は、同じコンポーネントキャリア（ＣＣ）２０８（またはセル２８５）からの異なるタイプのチャネル状態情報（ＣＳＩ）２４１（例えば、ＣＱＩ／ＰＭＩおよびＲＩ）が同じサブフレームでレポートされるようスケジュールされているときにも生じうる。衝突が生じるときに、物理上りリンク制御チャネル（ＰＵＣＣＨ）が低ペイロード・サイズであるために、端末装置（ＵＥ）３０４は、物理上りリンク制御チャネル（ＰＵＣＣＨ）上で送信されるべき１つだけの周期的チャネル状態情報（ＣＳＩ）レポート３３６を選択する。結果として、周期的チャネル状態情報（ＣＳＩ）レポート３３６のいくつかは落とされる。
【０１４８】
図７は、端末装置（ＵＥ）４０４によって用いられるレイヤを示すブロックダイアグラムである。図７の端末装置（ＵＥ）４０４は、図１の端末装置（ＵＥ）１０４の一構成であってもよい。端末装置（ＵＥ）４０４は、無線リソース制御（ＲＲＣ）レイヤ４５０、無線リンク制御（ＲＬＣ：ｒａｄｉｏ  ｌｉｎｋ  ｃｏｎｔｒｏｌ）レイヤ４５１、媒体アクセス制御（ＭＡＣ：ｍｅｄｉｕｍ  ａｃｃｅｓｓ  ｃｏｎｔｒｏｌ）レイヤ４５２および物理（ＰＨＹ）レイヤ４５３を含む。これらのレイヤは、上位レイヤ２１８と呼ばれる。端末装置（ＵＥ）４０４は、図７に示されない追加のレイヤを含んでもよい。
【０１４９】
図８は、最優先チャネル状態情報（ＣＳＩ）レポート２５１を決定するための方法５００のフローダイヤグラムである。方法５００は、端末装置（ＵＥ）１０４によって行われる。一構成において、方法５００は、端末装置（ＵＥ）１０４上のチャネル状態情報（ＣＳＩ）選択モジュール２５７によって行われる。端末装置（ＵＥ）１０４は、１つのサービングセル上で受信した複数のＣＳＩ−ＲＳに関して、１つのサブフレームで送信されるようにスケジュールされた複数のチャネル状態情報（ＣＳＩ）レポート２３６を生成する（ステップ５０２）。従って、複数のチャネル状態情報（ＣＳＩ）レポート２３６間の衝突がありうる。
【０１５０】
優先度付けの方法の例は、レポーティング・タイプに基づく優先度付け、およびＣＳＩレポーティング構成に基づく優先度付けを含む。チャネル状態情報（ＣＳＩ）レポート２３６の衝突が同じサービングセルで生じるときには、レポーティング・タイプに基づく優先度付けが適用される。ＣＳＩレポーティング構成に基づく優先度付けも適用されることがある。同様に、異なるサービングセルからのチャネル状態情報（ＣＳＩ）レポート２３６が衝突を引き起こすときには、レポーティング・タイプに基づく優先度付けが適用される。ＣＳＩレポーティング構成に基づく優先度付けも適用されることがある。加えて、セル・インデックスに基づく優先度付けが適用されることもある。これらの優先度付け手法は、以下にさらに詳細に考察される。
【０１５１】
端末装置（ＵＥ）１０４は、サービングセルごとに優先度付けの方法を用いて最優先チャネル状態情報（ＣＳＩ）レポート２５１を決定する（ステップ５０６）。例えば、サービングセルに１つだけのＣＳＩ−ＲＳがある場合、端末装置（ＵＥ）１０４は、そのＣＳＩ−ＲＳに関して最優先チャネル状態情報（ＣＳＩ）レポート２５１を決定する（ステップ５０６）。サービングセルに複数のＣＳＩ−ＲＳおよび／または複数のＣＳＩレポート構成がある場合、端末装置（ＵＥ）１０４は、サービングセルにおけるＣＳＩ−ＲＳごと、またはＣＳＩレポート構成ごとに最優先チャネル状態情報（ＣＳＩ）レポート２５１を決定する（ステップ５０６）。加えて、端末装置（ＵＥ）１０４は、サービングセルにおけるＣＳＩ−ＲＳ間またはＣＳＩレポート構成間で最優先チャネル状態情報（ＣＳＩ）レポート２５１を決定する（ステップ５０６）。さらに、端末装置（ＵＥ）１０４は、複数のサービングセルの場合には、サービングセル間でも最優先チャネル状態情報（ＣＳＩ）レポート２５１を決定する（ステップ５０６）。
【０１５２】
端末装置（ＵＥ）１０４は、次に、決定した最優先ＣＳＩレポート２５１のうちの最優先チャネル状態情報（ＣＳＩ）レポート２５１を選択する（ステップ５０８）。１つだけのサービングセルがある場合には、１つだけの最優先チャネル状態情報（ＣＳＩ）レポート２５１が決定され、かくして選択される（ステップ５０８）。
【０１５３】
サービングセルにおける複数のＣＳＩ−ＲＳの場合、各ＣＳＩ−ＲＳは、それ自体の最優先ＣＳＩレポート２５１を有する。例えば、各ＣＳＩ−ＲＳの最優先チャネル状態情報（ＣＳＩ）レポート２５１は、ＣＳＩ−ＲＳ最優先チャネル状態情報（ＣＳＩ）レポートと呼ばれる。この場合、すべてのＣＳＩ−ＲＳの総合的な最優先チャネル状態情報（ＣＳＩ）レポート２５１が選択される（ステップ５０８）。総合的な最優先チャネル状態情報（ＣＳＩ）レポート２５１とは、複数のＣＳＩ−ＲＳに関するチャネル状態情報（ＣＳＩ）レポート２３６のうちで最も高い優先度を有するチャネル状態情報（ＣＳＩ）レポート２３６のことである。言い換えれば、単一のサービングセルにおける複数のＣＳＩ−ＲＳ間の最優先チャネル状態情報（ＣＳＩ）レポート２５１が、総合的な最優先チャネル状態情報（ＣＳＩ）レポート２５１として選択される（または最優先チャネル状態情報（ＣＳＩ）レポートとも呼ばれる）。
【０１５４】
サービングセルにおける複数のＣＳＩレポート構成の場合、各ＣＳＩレポート構成は、その自体の最優先ＣＳＩレポート２５１を有する。例えば、各ＣＳＩレポート構成の最優先チャネル状態情報（ＣＳＩ）レポート２５１は、ＣＳＩ最優先チャネル状態情報（ＣＳＩ）レポートと呼ばれる。この場合、すべてのＣＳＩレポート構成の総合的な最優先チャネル状態情報（ＣＳＩ）レポート２５１が選択される（ステップ５０８）。
【０１５５】
総合的な最優先チャネル状態情報（ＣＳＩ）レポート２５１とは、ＣＳＩレポート構成に関するチャネル状態情報（ＣＳＩ）レポート２３６のうちで最も高い優先度を有するチャネル状態情報（ＣＳＩ）レポート２３６のことである。言い換えれば、単一のサービングセルにおける複数のＣＳＩレポート構成間の最優先チャネル状態情報（ＣＳＩ）レポート２５１が、総合的な最優先チャネル状態情報（ＣＳＩ）レポート２５１として選択される。
【０１５６】
複数のサービングセルの場合、各サービングセルは、その自体の最優先ＣＳＩレポート２５１を有する。例えば、すべてのサービングセルの総合的な最優先チャネル状態情報（ＣＳＩ）レポート２５１が選択される（ステップ５０８）。総合的な最優先チャネル状態情報（ＣＳＩ）レポート２５１とは、複数のサービングセルに関するチャネル状態情報（ＣＳＩ）レポート２３６のうちで最も高い優先度を有するチャネル状態情報（ＣＳＩ）レポート２３６のことである。言い換えれば、単一のサービングセルにおける複数のＣＳＩ−ＲＳ間の最優先チャネル状態情報（ＣＳＩ）レポート２５１が、総合的な最優先チャネル状態情報（ＣＳＩ）レポート２５１として選択される。
【０１５７】
端末装置（ＵＥ）１０４は、総合的な最優先チャネル状態情報（ＣＳＩ）レポート２５１をｅＮｏｄｅ  Ｂ１０２へ送信する（ステップ５１０）。一構成において、端末装置（ＵＥ）１０４は、物理上りリンク制御チャネル（ＰＵＣＣＨ）を用いて、選択された最優先チャネル状態情報（ＣＳＩ）レポート２５１をｅＮｏｄｅ  Ｂ１０２へ送信する（ステップ５１０）。
【０１５８】
種々の優先度付け方式を用いる１つの利益は、（準静的にのみ変更できて動的にできず、しかもフィードバック内容を考慮しない）無線リソース制御（ＲＲＣ）シグナリングのみに基づく優先度付けと比較して、よりフレキシブルな優先度付け方式が可能なことである。そのうえ、種々の優先度付け方式を用いれば、フィードバック・ビットの数に基づく優先度付けが可能になる（例えば、低い方のペイロード・フィードバックに高い方のペイロード・フィードバックを上回る優先度を付けることができ、逆もまた同様である）。
【０１５９】
図９〜１１は、上りリンク制御情報（ＵＣＩ）３２８の送信スケジュール同士の衝突解決に利用されるシステムおよび方法に関する。例えば、図９〜１１は、単一のサービングセル内で選択される優先度付け方法の例を提供する。言い換えれば、図９〜１１は、サービングセルごとに優先度付けの方法を用いて最優先チャネル状態情報（ＣＳＩ）レポート２５１を決定する（ステップ５０６）ための例を提供する。
【０１６０】
図９は、上りリンク制御情報（ＵＣＩ）３２８の送信スケジュール同士の衝突解決のための方法６００のフローダイヤグラムである。方法６００は、端末装置（ＵＥ）１０４によって行われる。一構成において、方法６００は、端末装置（ＵＥ）１０４上のチャネル状態情報（ＣＳＩ）選択モジュール２５７によって行われる。方法６００は、最優先チャネル状態情報（ＣＳＩ）レポート２５１を決定するために選択された優先度付け方法を用いる１つ以上の例を含む。
【０１６１】
端末装置（ＵＥ）１０４は、１つのサービングセル上で受信した複数のＣＳＩ−ＲＳに関して、１つのサブフレームで送信されるようにスケジュールされた複数のチャネル状態情報（ＣＳＩ）レポート２３６を生成する（ステップ６０２）。従って、複数のチャネル状態情報（ＣＳＩ）レポート２３６間の衝突がありうる。
【０１６２】
優先度付けの方法は、レポーティング・タイプに基づいてもよい。言い換えれば、優先度付けの方法は、レポーティング・タイプ（または内容）の優先度に基づいて選択される。例えば、ランク・インジケータ（ＲＩ）をサポートしないレポーティング・タイプよりサポートするレポーティング・タイプの方が選択される。
【０１６３】
端末装置（ＵＥ）１０４は、（ＰＵＣＣＨレポーティング・タイプ、ＰＵＣＣＨ  ＣＳＩレポーティング・タイプ、ＣＳＩレポーティング・タイプなどとも呼ばれる）ＣＳＩレポート・タイプに基づいて、ＣＳＩレポート（単数または複数）２３６に優先度を付ける（ステップ６０６）ことができる。端末装置（ＵＥ）１０４は、ＲＩをサポートするＣＳＩレポート（単数または複数）２３６に高い方の優先度を割り当てる。言い換えれば、ＲＩをサポートするチャネル状態情報（ＣＳＩ）レポート２３６は、ＲＩをサポートしないチャネル状態情報（ＣＳＩ）レポート２３６より高い優先度を割り当てられる。他の例として、表２に見られるように、タイプ（タイプ｛３｝、｛５｝または｛６｝）にＲＩを含むチャネル状態情報（ＣＳＩ）レポート２３６は、タイプにＲＩを含まないチャネル状態情報（ＣＳＩ）レポート２３６より優先される。上掲の表３に見られるように、タイプ（タイプ｛３｝、｛３ａ’｝、｛３ｂ’｝、｛３ｃ’｝、｛５｝、｛５ａ’｝、｛５ｂ’｝｛５ｃ’｝、｛６｝、｛６ａ’｝、｛６ｂ’｝または｛６ｃ’｝）にＲＩを含むチャネル状態情報（ＣＳＩ）レポート２３６は、タイプにＲＩを含まないチャネル状態情報（ＣＳＩ）レポート２３６より高い優先度を有する。
【０１６４】
端末装置（ＵＥ）１０４は、（ＰＵＣＣＨレポーティング・タイプ、ＰＵＣＣＨ  ＣＳＩレポーティング・タイプ、ＣＳＩレポーティング・タイプなどとも呼ばれる）他のＣＳＩレポート・タイプに基づいて、ＣＳＩレポート（単数または複数）２３６に優先度を付けることもできる。例えば、チャネル状態情報（ＣＳＩ）レポート２３６内容が、Ｆｉｒｓｔ−ＲＳ、Ｓｅｃｏｎｄ−ＲＳまたはＡｇｇｒｅｇａｔｅｄ−ＲＳ  ＣＳＩレポート・タイプに関係する。一構成において、Ｆｉｒｓｔ−ＲＳに関係するレポート・タイプは、Ｓｅｃｏｎｄ−ＲＳに関係するレポート・タイプより高い優先度を与えられる。加えて、Ｆｉｒｓｔ−ＲＳ  Ｓｅｃｏｎｄ−ＲＳに関係するレポート・タイプは、Ａｇｇｒｅｇａｔｅｄ−ＲＳに関係するレポート・タイプより高い優先度を与えられる。言い換えれば、Ａｇｇｒｅｇａｔｅｄ−ＲＳに関係するＣＳＩレポート・タイプは、Ｆｉｒｓｔ−ＲＳおよび／またはＳｅｃｏｎｄ−ＲＳ  ＣＳＩレポート・タイプより低い優先度を与えられる。
【０１６５】
一構成において、Ａｇｇｒｅｇａｔｅｄ  ＣＳＩに関係するＣＳＩレポート・タイプは、Ｆｉｒｓｔ−ＲＳおよび／またはＳｅｃｏｎｄ−ＲＳ  ＣＳＩレポート・タイプより高い優先度を与えられる。言い換えれば、Ａｇｇｒｅｇａｔｅｄ  ＣＳＩに関係するレポート・タイプは、Ｆｉｒｓｔ−ＲＳに関係するレポート・タイプより高い優先度を与えられる。加えて、Ｆｉｒｓｔ−ＲＳ  ｓｅｃｏｎｄ−ＲＳに関係するレポート・タイプは、Ｓｅｃｏｎｄ−ＲＳレポート・タイプより高い優先度を与えられる。
【０１６６】
一構成において、端末装置（ＵＥ）１０４は、サブバンドＣＱＩをサポートするＣＳＩレポート（単数または複数）２３６より、広帯域ＣＱＩ、広帯域ＰＭＩ、ＩＮＴＥＲ−ＣＳＩ−ＲＳ−ＰＨＡＳＥおよび／またはＩＮＴＥＲ−ＣＳＩ−ＲＳ−ＡＭＰＬＩＴＵＤＥタイプを有するＣＳＩレポート（単数または複数）２３６を優先する（ステップ６０８）。一例として、ＣＳＩレポート・タイプ｛７｝および／または｛８｝は、ＣＳＩレポート・タイプ｛１｝、｛１ａ｝、｛１ｂ’｝、｛１ｃ’｝、｛１ｄ’｝および／または｛１ｅ’｝より高い優先度を有する。言い換えれば、タイプにＲＩまたは広帯域第１ＰＭＩが含まれると決定され、かつタイプにサブバンドＣＱＩが含まれる場合には、２つのレベルの優先度付けが必要である。
【０１６７】
端末装置（ＵＥ）１０４は、最優先チャネル状態情報（ＣＳＩ）レポート２５１を選択する（ステップ６１０）。１つのサービングセル内のチャネル状態情報（ＣＳＩ）レポート２３６と、同じサービングセルのチャネル状態情報（ＣＳＩ）レポート２３６との衝突がある場合、端末装置（ＵＥ）１０４は、先に説明したようなレポーティング・タイプに基づく優先度付けに基づいて、最優先チャネル状態情報（ＣＳＩ）レポート２５１を選択する（ステップ６１０）。下の図１０は、複数のサービングセルの場合を説明する。
【０１６８】
最優先チャネル状態情報（ＣＳＩ）レポート２５１を選択した後に、端末装置（ＵＥ）１０４は、すべての非選択ＣＳＩレポート（単数または複数）２３６を落とす（ステップ６１２）。例えば、１つのサービングセルのＲＩを含むＰＵＣＣＨレポーティング・タイプをもつチャネル状態情報（ＣＳＩ）レポート２３６と、同じサービングセルのＲＩをサポートしないＰＵＣＣＨレポーティング・タイプをもつＣＳＩレポート２３６との衝突の場合には、ＲＩをサポートしないＰＵＣＣＨレポーティング・タイプをもつ後者のＣＳＩレポートは、低い方の優先度を有し、落とされる。
【０１６９】
端末装置（ＵＥ）１０４は、次に、総合的な最優先チャネル状態情報（ＣＳＩ）レポート２５１をｅＮｏｄｅ  Ｂ１０２へ送信する（ステップ６１４）。端末装置（ＵＥ）１０４は、物理上りリンク制御チャネル（ＰＵＣＣＨ）を用いて総合的な最優先チャネル状態情報（ＣＳＩ）レポート２５１をｅＮｏｄｅ  Ｂ１０２へ送信する（ステップ６１４）。
【０１７０】
いくつかの構成では、優先度付けの方法が１つのチャネル状態情報（ＣＳＩ）レポート２３６構成しかサポートしないという点で、リリース１０と同様である。しかしながら、図９に関連して記載される優先度付け方法６００は、１つのサービングセルにおける１つより多いＣＳＩ−ＲＳに関するレポーティング・タイプをさらにサポートする。さらにまた、優先度付け方法６００は、集約されたＣＱＩ、ＰＭＩ、ＰＴＩ、ＲＩ、ＩＮＴＥＲ−ＣＳＩ−ＲＳ−ＰＨＡＳＥおよびＩＮＴＥＲ−ＣＳＩ−ＲＳ−ＡＭＰＬＩＴＵＤＥのためのレポーティング・タイプもサポートする。言い換えれば、優先度付け方法は、ある程度、チャネル状態情報（ＣＳＩ）レポート２３６がＣＳＩ−ＲＳまたは集約されたＣＳＩと関連付けられるかどうかに基づく。従って、図９に関連して記載される優先度付け方法の１つの利益は、既存のメカニズムとの類似性である。これによってハードウェア設計および実装における変更を少なくすることができる。しかしながら、この優先度付け方法は、１つより多い測定結果（例えば、Ｆｉｒｓｔ−ＲＳ、Ｓｅｃｏｎｄ−ＲＳおよびＡｇｇｒｅｇａｔｅｄ−ＲＳ）をサポートするという点で部分的には異なる。
【０１７１】
図９に用いられるステップは、異なる順序で行われてもよいことに留意すべきである。例えば、優先度付けの方法が調整されてもよい。例として、端末装置（ＵＥ）１０４は、最初に、ＲＩタイプをサポートするチャネル状態情報（ＣＳＩ）レポート２３６に優先度を付け、その後、他のＣＳＩレポート・タイプ（または内容）に基づいて優先度を付けてもよい。代わりに、端末装置（ＵＥ）１０４は、最初に、ＲＩタイプ以外のＣＳＩレポート・タイプ（または内容）に基づいてチャネル状態情報（ＣＳＩ）レポート２３６に優先度を付け、その後、ＲＩタイプを用いて、残っているチャネル状態情報（ＣＳＩ）レポート２３６に優先度を付けて（例えば、ＲＩタイプを有するチャネル状態情報（ＣＳＩ）レポート２３６に高い方の優先度を割り当てて）もよい。加えて、端末装置（ＵＥ）１０４は、最優先チャネル状態情報（ＣＳＩ）レポート２５１が一旦得られると、優先度付けステップをスキップしてよい。言い換えれば、ＲＩタイプをサポートするチャネル状態情報（ＣＳＩ）レポート２３６に基づく優先度付けが最優先チャネル状態情報（ＣＳＩ）レポート２５１をもたらす場合、端末装置（ＵＥ）１０４は、他のＣＳＩレポート・タイプ（または内容）に基づくチャネル状態情報（ＣＳＩ）レポート２３６の優先度付けをスキップすることができる。
【０１７２】
図１０は、上りリンク制御情報（ＵＣＩ）３２８の送信スケジュール同士の衝突解決のための別の方法７００のフローダイヤグラムである。図１０は、一般に、複数のサービングセルの場合に関連している。方法７００は、端末装置（ＵＥ）１０４によって行われる。一構成において、方法７００は、端末装置（ＵＥ）１０４上のチャネル状態情報（ＣＳＩ）選択モジュール２５７によって行われる。端末装置（ＵＥ）１０４が１つより多いサービングセルで構成されている場合、端末装置（ＵＥ）１０４は、いずれのサブフレームでも１つのサービングセルのチャネル状態情報（ＣＳＩ）レポート２３６しか送信できない。この場合、優先度付けは、レポーティング・タイプ、ならびにサービングセル・インデックスに基づく優先度のような、他の手法の両方に基づいて行われる。言い換えれば、優先度付けが、タイプ（または内容）に基づいて最優先チャネル状態情報（ＣＳＩ）レポート２５１を選択できないときに、優先度付けの追加のレベルが利用される。これらの追加のレベルが、セル・インデックスに基づく優先度である。例えば、チャネル状態情報（ＣＳＩ）レポート構成は、用いるべき優先度方法を指定する。方法７００は、最優先チャネル状態情報（ＣＳＩ）レポート２３６を決定するために優先度付け方法を用いる１つ以上の例を含む。
【０１７３】
端末装置（ＵＥ）１０４は、１つのサービングセル上で受信した複数のＣＳＩ−ＲＳに関して、１つのサブフレームで送信されるようにスケジュールされた複数のチャネル状態情報（ＣＳＩ）レポート２３６を生成する（ステップ７０２）。従って、複数のチャネル状態情報（ＣＳＩ）レポート２３６間の衝突がありうる。
【０１７４】
端末装置（ＵＥ）１０４は、各サービングセルにおけるＣＳＩレポート・タイプに基づいてＣＳＩレポート（単数または複数）２３６に優先度を付ける（ステップ７０６）。このレポーティング・タイプに基づく優先度付けは、図９でステップ６０６に関連して考察された優先度付けステップと同様である。端末装置（ＵＥ）１０４は、最優先チャネル状態情報（ＣＳＩ）レポート２５１を選択する（ステップ７１２）。最優先チャネル状態情報（ＣＳＩ）レポート２５１を選択した後に、端末装置（ＵＥ）１０４は、各サービングセルにおけるすべての非選択ＣＳＩレポート（単数または複数）２３６を落とす（ステップ７１４）。
【０１７５】
端末装置（ＵＥ）１０４は、１つより多いサービングセルで構成できる。しかしながら、所与のサブフレームでは１つのチャネル状態情報（ＣＳＩ）レポート２３６しか送信できない。従って、たとえ端末装置（ＵＥ）１０４がサービングセルごとに最優先チャネル状態情報（ＣＳＩ）レポート２５１を選択しても（ステップ７１２）、複数のサービングセルに関する最優先ＣＳＩレポート２５１間の衝突が依然として生じうる。
【０１７６】
ここで、端末装置（ＵＥ）１０４は、複数のサービングセルのＣＳＩレポート２３６のうちで、ＣＳＩレポート・タイプに基づいてＣＳＩレポート（単数または複数）２３６に優先度を付ける（ステップ７１６）。このレポーティング・タイプに基づく優先度付けは、図９でステップ６０６に関連して考察された優先度付けステップと同様であるが、しかし各複数のサーブングセルのうちでの優先度付けである。端末装置（ＵＥ）１０４は、レポーティング・タイプに基づく優先付けに基づいて、複数のサービングセルのＣＳＩレポート２３６のうちから、総合的な最優先チャネル状態情報（ＣＳＩ）レポート２５１を選択する（ステップ７１８）。所与のサブフレームに関して、１つのサービングセルのレポーティング・タイプをもつチャネル状態情報（ＣＳＩ）レポート２３６と、別のサービングセルのレポーティング・タイプをもつチャネル状態情報（ＣＳＩ）レポート２３６との間の衝突が生じる場合には、優先度が高い方のレポーティング・タイプをもつチャネル状態情報（ＣＳＩ）レポート２３６が選択され、他は落とされる（ステップ７２０）。
【０１７７】
端末装置（ＵＥ）１０４は、異なるサービングセルから選択された複数のチャネル状態情報（ＣＳＩ）レポート２３６が同じ優先度を有するかどうかを判定する（ステップ７２２）。所与のサブフレームに関して、同じ優先度のレポーティング・タイプをもつ異なるサービングセルのチャネル状態情報（ＣＳＩ）レポート２３６間の衝突の場合には、端末装置（ＵＥ）１０４は、複数のサービングセルのＣＳＩレポート２３６のうちで、サービングセル・インデックスに基づいてＣＳＩレポート（単数または複数）２３６に優先度を付けて（ステップ７２４）、低い方か、または最も低いサービングセル・インデックス（すなわち、ＳｅｒｖＣｅｌｌＩｎｄｅｘ）をもつサービングセルのチャネル状態情報（ＣＳＩ）レポート２３６が選択される（ステップ７２６）。すべての他のサービングセルのチャネル状態情報（ＣＳＩ）レポート２３６は落とされる（ステップ７２８）。ＳｅｒｖＣｅｌｌＩｎｄｅｘは、ＲＲＣシグナリングによって構成される。
【０１７８】
サービングセル・インデックス以外の他のパラメータを用いてもよい。例えば、複数のチャネル状態情報（ＣＳＩ）レポート２３６がある場合、端末装置（ＵＥ）１０４は、最優先チャネル状態情報（ＣＳＩ）レポート２５１を決定するために、無線リソース制御（ＲＲＣ）シグナリングによって指定される所定のコンポーネントキャリア（ＣＣ）２０８（またはセル２８５）優先度付けルールを用いることもできる。無線リソース制御（ＲＲＣ）シグナリングによって指定される優先度付けルールは、各チャネル状態情報（ＣＳＩ）レポート２３６の対応するコンポーネントキャリア（ＣＣ）２０８（またはセル２８５）２４７に基づいて、チャネル状態情報（ＣＳＩ）レポート２３６に優先度を付ける（例えば、ＣＣ１＞ＣＣ２＞ＣＣ３）。
【０１７９】
端末装置（ＵＥ）１０４がサービングセルごとに優先度付けの方法を用いて最優先チャネル状態情報（ＣＳＩ）レポート２５１を一旦決定すると、端末装置（ＵＥ）１０４は、総合的な最優先チャネル状態情報（ＣＳＩ）レポート２５１をＰＵＣＣＨ上でｅＮｏｄｅ  Ｂ１０２へ送信する（ステップ７３０）。
【０１８０】
図１１は、上りリンク制御情報（ＵＣＩ）３２８の送信スケジュール同士の衝突解決のためのさらに別の方法８００のフローダイヤグラムである。方法８００は、端末装置（ＵＥ）１０４によって行なわれる。一構成において、方法８００は、端末装置（ＵＥ）１０４上のチャネル状態情報（ＣＳＩ）選択モジュール２５７によって行なわれる。方法８００は、最優先チャネル状態情報（ＣＳＩ）レポート２５１を決定するために選択された優先度付け方法を用いる１つ以上の例を含む。
【０１８１】
端末装置（ＵＥ）１０４は、１つのサービングセル上で受信した複数のＣＳＩ−ＲＳに関して、１つのサブフレームで送信されるようにスケジュールされた複数のチャネル状態情報（ＣＳＩ）レポート２３６を生成する（ステップ８０２）。従って、複数のチャネル状態情報（ＣＳＩ）レポート２３６間の衝突がありうる。
【０１８２】
優先度付けの方法は、随意的なステップおよびレベルを含む、複数のステップおよび／またはレベルを伴う。例えば、優先度付けの１つのレベルは、各チャネル状態情報（ＣＳＩ）レポート２３６のレポーティング・タイプ優先度付けを含み、一方で優先度付けの別のレベルは、各チャネル状態情報（ＣＳＩ）レポート２３６のレポーティング構成優先度付けを含む。加えて、優先度付けの別のレベルは、各チャネル状態情報（ＣＳＩ）レポート２３６のセル・インデックスを含む。さらにまた、各レベルは、サービングセルごとに優先度付けの方法を用いて、最優先チャネル状態情報（ＣＳＩ）レポート２５１を決定するための１つ以上のステップを含む。
【０１８３】
端末装置（ＵＥ）１０４は、各サービングセルにおける各ＣＳＩレポート構成のＣＳＩレポート・タイプに基づいて、ＣＳＩレポート（単数または複数）２３６に優先度を付ける（ステップ８０６）。このレポーティング・タイプに基づく優先度付けは、図９でステップ６０６に関連して考察された優先度付けステップと同様である。端末装置（ＵＥ）１０４は、最優先チャネル状態情報（ＣＳＩ）レポート２５１を選択する（ステップ８１４）。最優先チャネル状態情報（ＣＳＩ）レポート２５１を選択した後に、端末装置（ＵＥ）１０４は、各サービングセルにおけるすべての非選択ＣＳＩレポート（単数または複数）２３６を落とす（ステップ８１６）。
【０１８４】
端末装置（ＵＥ）１０４は、１つより多いＣＳＩレポート構成を用いて構成できる。しかしながら、所与のサブフレームでは１つのチャネル状態情報（ＣＳＩ）レポート２３６しか送信できない。従って、たとえ端末装置（ＵＥ）１０４がサービングセルごとに各ＣＳＩレポート構成に関して最優先チャネル状態情報（ＣＳＩ）レポート２５１を選択しても（ステップ８１４）、複数のＣＳＩレポート構成に関する最優先ＣＳＩレポート２５１間の衝突が依然として生じうる。ここで、端末装置（ＵＥ）１０４は、複数のサービングセルのＣＳＩレポート２３６のうちで、ＣＳＩレポート・タイプに基づいてＣＳＩレポート（単数または複数）２３６に優先度を付ける（ステップ８１８）。このレポーティング・タイプに基づく優先度付けは、図９でステップ６０６に関連して考察された、各サービングセル内での、優先度付けステップと同様である。端末装置（ＵＥ）１０４は、レポーティング・タイプに基づく優先度付けに基づいて、複数のＣＳＩレポート構成のＣＳＩレポート２３６のうちから、総合的な最優先チャネル状態情報（ＣＳＩ）レポート２５１を選択する（ステップ８２０）。所与のサブフレームに関して、１つのサービングセルのレポーティング・タイプをもつチャネル状態情報（ＣＳＩ）レポート２３６と、別のサービングセルのレポーティング・タイプをもつチャネル状態情報（ＣＳＩ）レポート２３６との間の衝突の生じる場合には、優先度が高い方のレポーティング・タイプをもつチャネル状態情報（ＣＳＩ）レポート２３６が選択され、他は落とされる（ステップ８２２）。
【０１８５】
端末装置（ＵＥ）１０４は、異なるＣＳＩレポート構成から選択された複数のチャネル状態情報（ＣＳＩ）レポート２３６が同じ優先度を有するかどうかを判定する（ステップ８２４）。所与のサブフレームに関して、同じ優先度のレポーティング・タイプをもつ異なるＣＳＩ構成のチャネル状態情報（ＣＳＩ）レポート２３６間の衝突が生じる場合には、端末装置（ＵＥ）１０４は、ＣＳＩレポート構成のうちで、ＣＳＩ構成インデックスまたはＣＳＩ−ＲＳインデックスに基づいてＣＳＩレポート（単数または複数）２３６に優先度を付ける（ステップ８２６）。低い方か、または最も低いＣＳＩレポート構成インデックス（またはＣＳＩ−ＲＳインデックス）をもつサービングセルのチャネル状態情報（ＣＳＩ）レポート２３６が選択され（ステップ８２８）、すべての他のＣＳＩレポート２３６は落とされる（ステップ８３０）。ＣＳＩレポート構成のＣＳＩレポート２３６のうちでのレポーティング・タイプに基づく優先度付けが削除され、ＣＳＩレポート構成インデックス（またはＣＳＩ−ＲＳインデックス）に基づく優先度付けだけが適用される。ＣＳＩレポート構成インデックスまたはＣＳＩ−ＲＳインデックスは、ＲＲＣシグナリングによって構成される。
【０１８６】
端末装置（ＵＥ）１０４は、１つより多いサービングセルで構成できる。しかしながら、所与のサブフレームでは１つのチャネル状態情報（ＣＳＩ）レポート２３６しか送信できない。従って、たとえ端末装置（ＵＥ）１０４がサービングセルごとに最優先チャネル状態情報（ＣＳＩ）レポート２３６を選択しても（ステップ８２８）、複数のサービングセルに関する最優先ＣＳＩレポート２５１間の衝突が依然として生じうる。
【０１８７】
ここで、端末装置（ＵＥ）１０４は、複数のサービングセルのＣＳＩレポート２３６のうちで、ＣＳＩレポート・タイプに基づいてＣＳＩレポート（単数または複数）２３６に優先度を付ける（ステップ８３２）。このレポーティング・タイプに基づく優先度付けは、図９でステップ６０６に関連して考察された、各サービングセル内での、優先度付けステップと同様である。端末装置（ＵＥ）１０４は、レポーティング・タイプに基づく優先度付けに基づいて、複数のサービングセルのＣＳＩレポート２３６のうちから、総合的な最優先チャネル状態情報（ＣＳＩ）レポート２５１を選択する（ステップ８３４）。端末装置（ＵＥ）１０４は、次に、すべての非選択ＣＳＩレポート（単数または複数）２３６を落とす（ステップ８３６）。
【０１８８】
所与のサブフレームに関して、１つのサービングセルのレポーティング・タイプをもつチャネル状態情報（ＣＳＩ）レポート２３６と、別のサービングセルのレポーティング・タイプをもつチャネル状態情報（ＣＳＩ）レポート２３６との間の衝突が生じる場合には、優先度が高い方のレポーティング・タイプをもつチャネル状態情報（ＣＳＩ）レポート２３６が選択され（ステップ８３４）、優先順位が低い方のレポーティング・タイプをもつ他方のチャネル状態情報（ＣＳＩ）レポート２３６は落とされる（ステップ８３６）。
【０１８９】
端末装置（ＵＥ）１０４は、異なるサービングセルから選択されたチャネル状態情報（ＣＳＩ）レポート２３６が同じ優先度を有するかどうかを判定する（ステップ８３８）。所与のサブフレームに関して、同じ優先度のレポーティング・タイプをもつ異なるサービングセルのチャネル状態情報（ＣＳＩ）レポート２３６間の衝突が生じる場合には、端末装置（ＵＥ）１０４は、複数のサービングセルのＣＳＩレポート２３６のうちで、サービングセル・インデックスに基づいてＣＳＩレポート（単数または複数）２３６に優先度を付け（ステップ８４０）、低い方か、または最も低いサービングセル・インデックス（すなわち、ＳｅｒｖＣｅｌｌＩｎｄｅｘ）をもつサービングセルのチャネル状態情報（ＣＳＩ）レポート２３６が選択される（ステップ８４２）。すべての他のサービングセルのチャネル状態情報（ＣＳＩ）レポート２３６は落とされる（ステップ８４４）。ＳｅｒｖＣｅｌｌＩｎｄｅｘは、ＲＲＣシグナリングによって構成される。
【０１９０】
異なるサービングセルから選択されたＣＳＩレポート２３６が同じ優先度を有さない場合、端末装置（ＵＥ）１０４は、総合的な最優先チャネル状態情報（ＣＳＩ）レポート２５１をＰＵＣＣＨ上でｅＮｏｄｅ  Ｂ１０２へ送信する（ステップ８４６）。端末装置（ＵＥ）１０４が総合的な最優先ＣＳＩレポート２５１を一旦選択すると（ステップ８４２）、端末装置（ＵＥ）１０４は、総合的な最優先チャネル状態情報（ＣＳＩ）レポート２５１をＰＵＣＣＨ上でｅＮｏｄｅ  Ｂ１０２へ送信する（ステップ８４６）。
【０１９１】
本明細書で既に述べたように、ステップは、異なる順序で行われてもよい。加えて、ステップが発生する前に最優先チャネル状態情報（ＣＳＩ）レポート２５１が選択されていれば、これらのステップは、随意的になされても、あるいは省略されてもよい。
【０１９２】
図１２は、端末装置（ＵＥ）１１０４において利用される様々なコンポーネントを示す。端末装置（ＵＥ）１１０４は、先に示された端末装置（ＵＥ）１０４として利用される。端末装置（ＵＥ）１１０４は、端末装置（ＵＥ）１１０４の動作を制御するプロセッサ１１５４を含む。プロセッサ１１５４は、ＣＰＵとも呼ばれる。メモリ１１７４は、リードオンリメモリ（ＲＯＭ：ｒｅａｄ−ｏｎｌｙ  ｍｅｍｏｒｙ）、ランダムアクセスメモリ（ＲＡＭ：ｒａｎｄｏｍ  ａｃｃｅｓｓ  ｍｅｍｏｒｙ）の両方または情報を記憶する任意のタイプのデバイスを含んでもよく、プロセッサ１１５４に命令１１５６ａおよびデータ１１５８ａを与える。メモリ１１７４の一部分は、不揮発性ランダムアクセスメモリ（ＮＶＲＡＭ：ｎｏｎ−ｖｏｌａｔｉｌｅ  ｒａｎｄｏｍ  ａｃｃｅｓｓ  ｍｅｍｏｒｙ）も含んでよい。命令１１５６ｂおよびデータ１１５８ｂは、プロセッサ１１５４にも存在する。プロセッサ１１５４に読み込まれる命令１１５６ｂおよび／またはデータ１１５８ｂは、プロセッサ１１５４による実行または処理のために読み込まれた、メモリ１１７４からの命令１１５６ａおよび／またはデータ１１５８ａも含んでよい。命令１１５６ｂは、本明細書に開示されるシステムおよび方法を実装するためにプロセッサ１１５４によって実行される。
【０１９３】
端末装置（ＵＥ）１１０４は、データの送受信を可能にする送信機１１７２および受信機１１７３を含んだ筺体も含む。送信機１１７２および受信機１１７３は、トランシーバ１１７１に組み合わされてもよい。１つ以上のアンテナ１１０６ａ〜ｎは、筺体に取り付けられて、トランシーバ１１７１に電気的に結合される。アンテナポートは、１つ以上のアンテナによって実現される。
【０１９４】
端末装置（ＵＥ）１１０４の様々なコンポーネントは、データバスに加えて、電力バス、制御信号バス、およびステータス信号バスを含む、バスシステム１１７７によって結合される。しかしながら、明確にするために、図１２では様々なバスがバスシステム１１７７として示される。端末装置（ＵＥ）１１０４は、信号処理用のデジタル信号プロセッサ（ＤＳＰ：ｄｉｇｉｔａｌ  ｓｉｇｎａｌ  ｐｒｏｃｅｓｓｏｒ）１１７５も含んでよい。端末装置（ＵＥ）１１０４は、端末装置（ＵＥ）１１０４の機能へのユーザ・アクセスを提供する通信インタフェース１１７６も含んでよい。図１２に示される端末装置（ＵＥ）１１０４は、具体的なコンポーネントのリスティングではなく、機能ブロックダイアグラムである。
【０１９５】
図１３は、ｅＮｏｄｅ  Ｂ１２０２において利用される様々なコンポーネントを示す。ｅＮｏｄｅ  Ｂ１２０２は、先に示されたｅＮｏｄｅ  Ｂ１０２として利用される。ｅＮｏｄｅ  Ｂ１２０２は、端末装置（ＵＥ）１１０４に関係して先に考察されたコンポーネントと同様のコンポーネントを含み、これらはプロセッサ１２７８、プロセッサ１２７８に命令１２７９ａおよびデータ１２８０ａを与えるメモリ１２８６、プロセッサ１２７８に存在するか、または読み込まれる命令１２７９ｂおよびデータ１２８０ｂ、（トランシーバ１２８１に組み合わされてもよい）送信機１２８２および受信機１２８４を含む筐体、トランシーバ１２８１に電気的に結合された１つ以上のアンテナポート１２０８ａ〜ｎ、バスシステム１２９２、信号処理用のＤＳＰ１２８８、通信インタフェース１２９０などを含む。
【０１９６】
他に断らない限り、上記の「／」の使用は、語句「および／または」を表す。
【０１９７】
本明細書に記載される機能は、ハードウェア、ソフトウェア、ファームウェアまたはそれらの任意の組み合わせで実装される。ソフトウェアで実装される場合、機能は、１つ以上の命令としてコンピュータ可読媒体上に記憶される。用語「コンピュータ可読媒体」は、コンピュータまたはプロセッサによってアクセスできる任意の利用可能な媒体を指す。用語「コンピュータ可読媒体」は、本明細書では、非一時的かつ有形のコンピュータおよび／またはプロセッサ可読媒体を示す。限定ではなく、例として、コンピュータ可読またはプロセッサ可読媒体は、ＲＡＭ、ＲＯＭ、ＥＥＰＲＯＭ、ＣＤ−ＲＯＭまたは他の光ディスク記憶、磁気ディスク記憶もしくは他の磁気記憶デバイス、あるいは、命令の形態の所望のプログラムコードまたはデータ構造を載せるか、または記憶するために用いることができ、コンピュータまたはプロセッサによってアクセスできる任意の他の媒体を備える。ディスク（ｄｉｓｋ）およびディスク（ｄｉｓｃ）は、本明細書では、コンパクトディスク（ＣＤ：ｃｏｍｐａｃｔ  ｄｉｓｃ）、レーザディスク（ｌａｓｅｒ  ｄｉｓｃ）、光ディスク（ｏｐｔｉｃａｌ  ｄｉｓｃ）、デジタルバーサタイルディスク（ＤＶＤ：ｄｉｇｉｔａｌ  ｖｅｒｓａｔｉｌｅ  ｄｉｓｃ）、フロッピーディスク（ｆｌｏｐｐｙ  ｄｉｓｋ）およびＢｌｕ−ｒａｙ（登録商標）ディスク（ｄｉｓｃ）を含み、ディスク（ｄｉｓｋ）は、通常、磁気的にデータを再生し、一方でディスク（ｄｉｓｃ）は、レーザを用いて光学的にデータを再生する。
【０１９８】
本明細書に開示されるそれぞれの方法は、記載される方法を実現するための１つ以上のステップまたは動作を備える。本方法のステップおよび／または動作は、特許請求の範囲から逸脱することなく、相互に入れ換えても、および／または単一のステップに組み合わせてもよい。言い換えれば、記載される方法の適切な操作のためにステップまたは動作の特定の順序が必要とされない限り、特許請求の範囲から逸脱することなく、特定のステップおよび／または動作の順序および／または使用が修正されてもよい。
【０１９９】
本明細書では、用語「決定（判定）」は、多種多様な動作を含み、それゆえに、「決定（判定）」は、算出、計算、処理、導出、調査、検索（例えば、表、データベースまたは他のデータ構造での検索）、確認などを含む。加えて、「決定（判定）」は、受信（例えば、情報の受信）、評価（例えば、メモリにおけるデータの評価）などを含むことができる。さらに、「決定（判定）」は、解決、選択、選ぶこと、確立などを含むことができる。
【０２００】
語句「基づく」は、明示的に別に指定されない限り「だけに基づく」を意味しない。言い換えれば、語句「基づく」は、「だけに基づく」も「に少なくとも基づく」も表す。
【０２０１】
用語「プロセッサ」は、汎用プロセッサ、中央処置装置（ＣＰＵ：ｃｅｎｔｒａｌ  ｐｒｏｃｅｓｓｉｎｇ  ｕｎｉｔ）、マイクロプロセッサ、デジタル信号プロセッサ（ＤＳＰ：ｄｉｇｉｔａｌ  ｓｉｇｎａｌ  ｐｒｏｃｅｓｓｏｒ）、コントローラ、マイクロコントローラ、状態マシンなどを包含するように広く解釈されるべきである。いくつかの状況下では、「プロセッサ」は、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、プログラマブルロジックデバイス（ＰＬＤ：ｐｒｏｇｒａｍｍａｂｌｅ  ｌｏｇｉｃ  ｄｅｖｉｃｅ）、フィールドプログラマブルゲートアレイ（ＦＰＧＡ：ｆｉｅｌｄ  ｐｒｏｇｒａｍｍａｂｌｅ  ｇａｔｅ  ａｒｒａｙ）などを指す。「プロセッサ」は、処理デバイスの組み合わせ、例えば、ＤＳＰとマイクロプロセッサとの組み合わせ、複数のマイクロプロセッサ、ＤＳＰコアと合わせた１つ以上のマイクロプロセッサ、またはその他のかかる構成を指すこともある。
【０２０２】
用語「メモリ」は、電子情報を記憶できる任意の電子部品を包含するように広く解釈されるべきである。用語「メモリ」は、様々なタイプのプロセッサ可読媒体、例えば、ランダムアクセスメモリ（ＲＡＭ）、リードオンリメモリ（ＲＯＭ）、不揮発性ランダムアクセスメモリ（ＮＶＲＡＭ）、プログラマブルリードオンリメモリ（ＰＲＯＭ：ｐｒｏｇｒａｍｍａｂｌｅ  ｒｅａｄ−ｏｎｌｙ  ｍｅｍｏｒｙ）、消去可能プログラマブルリードオンリメモリ（ＥＰＲＯＭ：ｅｒａｓａｂｌｅ  ｐｒｏｇｒａｍｍａｂｌｅ  ｒｅａｄ−ｏｎｌｙ  ｍｅｍｏｒｙ）、電気的消去可能ＰＲＯＭ（ＥＥＰＲＯＭ：ｅｌｅｃｔｒｉｃａｌｌｙ  ｅｒａｓａｂｌｅ  ＰＲＯＭ）、フラッシュメモリ、磁気的または光学的データ記憶装置、レジスタなどを指す。プロセッサがメモリから情報を読み出すか、および／またはメモリに情報を書き込むことができる場合に、メモリは、プロセッサと電子通信状態にあると言われる。メモリは、プロセッサと一体をなしてもよく、それでもなおプロセッサと電子通信状態にあると言われる。
【０２０３】
用語「命令」および「コード」は、任意のタイプのコンピュータ可読ステートメント（単数または複数）を含むように広く解釈されるべきである。例えば、用語「命令」および「コード」は、１つ以上のプログラム、ルーチン、サブルーチン、機能、手順などを指す。「命令」および「コード」は、単一のコンピュータ可読ステートメントまたは多くのコンピュータ可読ステートメントを備えてもよい。
【０２０４】
ソフトウェアまたは命令は、伝送媒体を通じて送信することもできる。例えば、ソフトウェアが、同軸ケーブル、光ファイバケーブル、ツイストペア、デジタル加入者回線（ＤＳＬ：ｄｉｇｉｔａｌ  ｓｕｂｓｃｒｉｂｅｒ  ｌｉｎｅ）、または赤外線、無線およびマイクロ波のようなワイヤレス技術を用いて、ウェブサイト、サーバ、または他の遠隔ソースから送信される場合には、同軸ケーブル、光ファイバケーブル、ツイストペア、ＤＳＬ、または赤外線、無線およびマイクロ波のようなワイヤレス技術が伝送媒体の定義に含まれる。
【０２０５】
当然のことながら、特許請求の範囲は、先に説明したまさにそのとおりの構成および構成要素には限定されない。特許請求の範囲から逸脱することなく、本明細書に記載される配置、操作、ならびにシステム、方法、および装置の詳細に様々な修正、変更および変形がなされてもよい。
【０２０６】
付記
端末装置（ＵＥ）上でチャネル状態情報（ＣＳＩ）レポートを選択するための方法が記載される。１つのサービングセルに関して１つ以上のＣＳＩレポートが生成される。各ＣＳＩレポートは、構成インデックスと関連付けられる。１つのサブフレームにおいてスケジュールされた複数のレポート同士の衝突の場合に、ＣＳＩレポートの優先度に基づいて、複数のレポートのうちから送信されるべきＣＳＩレポートが選択される。優先度が低い方のＰＵＣＣＨレポーティング・タイプのＣＳＩレポートは落とされ、同じ優先度のＰＵＣＣＨレポーティング・タイプをもつＣＳＩレポート同士の衝突の場合には、最も低い構成インデックスをもつＣＳＩレポート以外のＣＳＩレポートは落とされる。
【０２０７】
端末装置（ＵＥ）も記載される。端末装置（ＵＥ）は、プロセッサ、およびプロセッサと電子通信状態にあるメモリを含む。端末装置（ＵＥ）は、１つのサービングセルに関して複数のチャネル状態情報（ＣＳＩ）レポートを生成し、各ＣＳＩレポートは、構成インデックスと関連付けられる。１つのサブフレームにおいてスケジュールされた複数のレポート同士の衝突の場合に、端末装置（ＵＥ）は、レポートの優先度に基づいて、複数のレポートのうちから送信されるべきＣＳＩレポートを選択する。優先度が低い方のＰＵＣＣＨレポーティング・タイプのＣＳＩレポートは落とされ、同じ優先度のＰＵＣＣＨレポーティング・タイプをもつＣＳＩレポート同士の衝突の場合には、最も低い構成インデックスをもつＣＳＩレポート以外のＣＳＩレポートは落とされる。
【０２０８】
ｅｖｏｌｖｅｄ  Ｎｏｄｅ  Ｂ（ｅＮｏｄｅ  Ｂ）上で上りリンク制御情報（ＵＣＩ）を復号するための方法も記載される。ＣＳＩレポートを含む符号化されたＵＣＩが受信される。１つのサブフレームにおいてスケジュールされた複数のチャネル状態情報（ＣＳＩ）レポート同士の衝突の場合に、ＣＳＩレポートの優先度に基づいて、受信したＵＣＩが復号される。優先度が低い方のＰＵＣＣＨレポーティング・タイプのＣＳＩレポートは落とされ、同じ優先度のＰＵＣＣＨレポーティング・タイプをもつＣＳＩレポート同士の衝突の場合には、最も低い構成インデックスをもつＣＳＩレポート以外のＣＳＩレポートは落とされる。
【０２０９】
ｅｖｏｌｖｅｄ  Ｎｏｄｅ  Ｂ（Ｎｏｄｅ  Ｂ）も記載される。ｅｖｏｌｖｅｄ  Ｎｏｄｅ  Ｂ（Ｎｏｄｅ  Ｂ）は、プロセッサ、およびプロセッサと電子通信状態にあるメモリを含む。ｅｖｏｌｖｅｄ  Ｎｏｄｅ  Ｂ（Ｎｏｄｅ  Ｂ）は、ＣＳＩレポートを含む符号化された上りリンク制御情報（ＵＣＩ）を受信する。１つのサブフレームにおいてスケジュールされた複数のチャネル状態情報（ＣＳＩ）レポート同士の衝突の場合に、ｅｖｏｌｖｅｄ  Ｎｏｄｅ  Ｂ（Ｎｏｄｅ  Ｂ）は、ＣＳＩレポートの優先度に基づいて、受信したＵＣＩを復号する。優先度が低い方のＰＵＣＣＨレポーティング・タイプのＣＳＩレポートは落とされ、同じ優先度のＰＵＣＣＨレポーティング・タイプをもつＣＳＩレポート同士の衝突の場合には、最も低い構成インデックスをもつＣＳＩレポート以外のＣＳＩレポートは落とされる。
【０２１０】
端末装置（ＵＥ）上で上りリンク制御情報（ＵＣＩ）をレポートするための方法が記載される。１つのサービングセル上で受信した複数のＣＳＩ−ＲＳに関して複数のチャネル状態情報（ＣＳＩ）レポートが生成される。複数のＣＳＩ−ＲＳレポートは、１つのサブフレームで送信されるようにスケジュールされる。優先度付けの方法を用いて、総合的な最優先ＣＳＩレポートが決定される。総合的な最優先ＣＳＩレポートが選択される。総合的な最優先ＣＳＩレポートが送信される。
【０２１１】
選択される優先度付け方法は、ランク指標（ＲＩ）タイプをサポートするＣＳＩレポートに高い方の優先度を割り当てるステップを含む。選択される優先順位付け方法は、ＣＳＩレポート・タイプに基づいてＣＳＩレポートに優先度を付けるステップを含む。
【０２１２】
ＣＳＩレポート・タイプは、第１のＣＳＩ−ＲＳインデックスをもつＦｉｒｓｔ−ＲＳに関係するレポート・タイプ、第２のＣＳＩ−ＲＳインデックスをもつＳｅｃｏｎｄ−ＲＳに関係するレポート・タイプ、および／または、Ａｇｇｒｅｇａｔｅｄ−ＲＳに関係するレポート・タイプであってもよい。ＣＳＩレポート・タイプは、ＩＮＴＥＲ−ＣＳＩ−ＲＳ−ＰＨＡＳＥおよび／またはＩＮＴＥＲ−ＣＳＩ−ＲＳ−ＡＭＰＬＩＴＵＤＥを含みうる。
【０２１３】
端末装置（ＵＥ）は、サービングセル上で送信された複数のチャネル状態情報参照信号（ＣＳＩ−ＲＳ）を用いて構成される。複数のＣＳＩ−ＲＳのぞれぞれは、最優先ＣＳＩレポートを含む。総合的な最優先ＣＳＩレポートの選択は、優先度の最も高い最優先ＣＳＩレポートを選択するステップを含む。総合的な最優先ＣＳＩレポートの選択は、最も低いサービングセル・インデックスをもつ最優先ＣＳＩレポートを選択するステップを含んでもよい。総合的な最優先ＣＳＩレポートの選択は、最も低い構成インデックスをもつ最優先ＣＳＩレポートを選択するステップを含んでもよい。総合的な最優先ＣＳＩレポートの選択は、最も低いＣＳＩ−ＲＳインデックスをもつ最優先ＣＳＩレポートを選択するステップを含んでもよい。
【０２１４】
選択される優先順位付け方法は、広帯域第１プリコーディング・マトリックス・インジケータ（ＰＭＩ）タイプを含むＣＳＩレポートに、高い方の優先度を割り当てるステップを含んでもよい。選択される優先度付け方法は、サブバンドＣＱＩに基づいて、かつ広帯域チャネル品質インジケータ（ＣＱＩ）、広帯域ＰＭＩ、ＩＮＴＥＲ−ＣＳＩ−ＲＳ−ＰＨＡＳＥ、および／またはＩＮＴＥＲ−ＣＳＩ−ＲＳ−ＡＭＰＬＩＴＵＤＥに基づいてＣＳＩレポートに優先度を付けるステップを含んでもよい。
【０２１５】
端末装置（ＵＥ）は、総合的な最優先ＣＳＩレポートを物理上りリンク制御チャネル（ＰＵＣＣＨ）上でｅＮｏｄｅ  Ｂへ送信する。
【０２１６】
ＣＳＩレポートは、集約されたチャネル品質インジケータ、集約されたプリコーディング・マトリックス・インジケータ、集約されたプリコーディング・タイプ・インジケータ、および／または集約されたランク・インジケータを含む。協調マルチポイント（ＣｏＭＰ）測定結果を用いて複数のＣＳＩレポートが生成される。
【０２１７】
上りリンク制御情報（ＵＣＩ）をレポートするように構成された端末装置（ＵＥ）も記載される。端末装置（ＵＥ）は、プロセッサ、およびプロセッサと電子通信状態にあるメモリを含む。端末装置（ＵＥ）は、１つのサービングセル上で送信された複数のＣＳＩ−ＲＳに関して複数のチャネル状態情報（ＣＳＩ）レポートを生成する。複数のＣＳＩレポートは、１つのサブフレームで送信されるようにスケジュールされる。端末装置（ＵＥ）は、優先度付けの方法を用いて総合的な最優先ＣＳＩレポートを決定する。端末装置（ＵＥ）は、総合的な最優先ＣＳＩレポートを送信のために選択する。端末装置（ＵＥ）は、総合的な最優先ＣＳＩレポートを送信する。
【図１】
2015511777.tif 000006
【図２】
2015511777.tif 000007
【図３】
2015511777.tif 000008
【図４】
2015511777.tif 000009
【図５】
2015511777.tif 000010
【図６】
2015511777.tif 000011
【図７】
2015511777.tif 000012
【図８】
2015511777.tif 000013
【図９】
2015511777.tif 000014
【図１０】
2015511777.tif 000015
【図１１】
2015511777.tif 000016
【図１２】
2015511777.tif 000017
【図１３】
2015511777.tif 000018
【国際調査報告】
2015511777.tif 000019
2015511777.tif 000020